(57)【要約】  ジンバル動作モードの切替方法、制御装置及び画像安定化機器であって、前記方法は、ジンバルが第１の動作モードから第２の動作モードへと切り替える必要があることを確定することと、ジンバルの計測姿勢を取得して、計測姿勢に基づきジンバルの所望姿勢を確定することと、ジンバルを制御して所望姿勢を保つようにしたまま、第１の動作モードから第２の動作モードへと切り替えることと、を含み、ジンバルの動作モードを切り替えるときに、ジンバル上に搭載された撮像機器に転動が発生することを防止することができ、これによりジンバルの異なる撮影状態の移行を実現することができ、長回しの効果を撮影することができる。
2021508067.tif 000002
【特許請求の範囲】
【請求項１】
ジンバルが第１の動作モードから第２の動作モードへと切り替える必要があることを確定することと、
前記ジンバルの計測姿勢を取得し、前記計測姿勢に基づき前記ジンバルの所望姿勢を確定することと、
前記ジンバルを制御して前記所望姿勢を保つようにしたまま、前記第１の動作モードから前記第２の動作モードへと切り替えることと、を含む、ジンバル動作モードの切替方法。
【請求項２】
前記ジンバルが第１の動作モードから第２の動作モードへと切り替える必要があることを確定することは、
飛行制御データに基づき前記ジンバルが前記第１の動作モードから前記第２の動作モードへと切り替える必要があることを確定することを含む、請求項１に記載の方法。
【請求項３】
前記飛行制御データに基づき前記ジンバルが前記第１の動作モードから前記第２の動作モードへと切り替える必要があることを確定することは、
前記飛行制御データが無人航空機のホバリングに対応する状況で、前記ジンバルが前記第１の動作モードから前記第２の動作モードへと切り替える必要があることを確定することを含む、請求項２に記載の方法。
【請求項４】
前記飛行制御データに基づき前記ジンバルが前記第１の動作モードから前記第２の動作モードへと切り替える必要があることを確定することは、
無人航空機が前記飛行制御データの転送を停止した状況で、前記ジンバルが前記第１の動作モードから前記第２の動作モードへと切り替える必要があることを確定することを含む、請求項２に記載の方法。
【請求項５】
前記第１の動作モードはジンバル固定モードであり、前記第２の動作モードはジンバル追従モードであり、
前記ジンバルを制御して前記所望姿勢を保つようにしたまま、前記第１の動作モードから前記第２の動作モードへと切り替えることは、
前記ジンバルを制御して前記所望姿勢を保つようにしたまま復位を行わない状況で、前記ジンバル固定モードから前記追従モードへと切り替えることを含む、請求項１〜４のいずれか一項に記載の方法。
【請求項６】
前記ジンバルを制御して前記所望姿勢を保つようにしたまま復位を行わない状況で、前記ジンバル固定モードから前記追従モードへと切り替えることは、
前記計測姿勢に対応する中枠姿勢及び前記計測姿勢に対応するベース姿勢に基づき、前記ジンバルの前記ジンバル固定モードでの角度バイアス値を確定することと、
前記所望姿勢に対応する中枠姿勢及び前記計測姿勢に対応するベース姿勢、ならびに前記角度バイアス値に基づき、前記計測姿勢に対応するベース姿勢に対する前記所望姿勢に対応する中枠姿勢のオイラー座標系における角度差を確定することと、
前記角度差に基づき追従速度を確定し、前記追従速度を積分して追従コマンドを得ることと、を含む、請求項５に記載の方法。
【請求項７】
前記計測姿勢に対応する中枠姿勢及び前記計測姿勢に対応するベース姿勢に基づき、前記ジンバルの前記ジンバル固定モードでの角度バイアス値を確定することは、
前記計測姿勢に対応する中枠姿勢のヨーオイラー角と前記計測姿勢に対応するベース姿勢のヨーオイラー角との差に基づき、前記ジンバルの前記ジンバル固定モードでの角度バイアス値を確定することを含む、請求項６に記載の方法。
【請求項８】
前記ジンバルを制御して前記所望姿勢を保つようにしたまま復位を行わない状況で、前記ジンバル固定モードから前記追従モードへと切り替えることは、
ベース純転動の角度に前記ジンバルの前記ジンバル固定モードでの速度積分コマンド部分で生じた角度及びプッシュコマンド部分で生じた角度を加え、前記ジンバルの前記ジンバル固定モードでの角度バイアス値を得ることと、
前記所望姿勢に対応する中枠姿勢及び前記計測姿勢に対応するベース姿勢、ならびに前記角度バイアス値に基づき、前記計測姿勢に対応するベース姿勢に対する前記所望姿勢に対応する中枠姿勢のオイラー座標系における角度差を確定することと、
前記角度差に基づき追従速度を確定し、前記追従速度を積分して追従コマンドを得ることと、を含む、請求項５に記載の方法。
【請求項９】
前記ジンバルの現在の動作モードは追従モードであり、
前記計測姿勢に対応する中枠姿勢及び前記計測姿勢に対応するベース姿勢に基づき、前記ジンバルの前記ジンバル固定モードでの角度バイアス値を確定することと、
前記角度バイアス値の基礎の上で前記ジンバルの前記追従モードでの速度積分コマンド部分で生じた角度及びプッシュコマンド部分で生じた角度を減じ、前記ジンバルの前記追従モードでのベース純転動の角度を得ることと、
前記ベース純転動の角度を記録することと、を含む、請求項５〜８のいずれか一項に記載の方法。
【請求項１０】
前記第１の動作モードはジンバル固定モード又は追従モードであり、前記第２の動作モードは復位モードであり、
前記ジンバルを制御して前記所望姿勢を保つようにしたまま、前記第１の動作モードから前記第２の動作モードへと切り替えることは、
前記計測姿勢に対応するベース姿勢及び前記所望姿勢に対応する中枠姿勢に基づき、復位速度を確定し、前記復位速度を積分して速度積分コマンド部分を得て、前記速度積分コマンド部分以外の他のコマンド部分をクリアすることを含む、請求項１〜４のいずれか一項に記載の方法。
【請求項１１】
前記速度積分コマンド部分が、前記所望姿勢に対応する中枠姿勢のヨーオイラー角と前記所望姿勢に対応するベース姿勢のヨーオイラー角との差が所定の範囲内にあるようにする、請求項１０に記載の方法。
【請求項１２】
処理装置と、記憶装置と、を含み、前記記憶装置にコンピュータコマンドが格納されており、前記処理装置が前記コンピュータコマンドを実行するときに、
前記ジンバルを第１の動作モードから第２の動作モードへと切り替える必要があることを確定するステップと、
前記ジンバルの計測姿勢を取得して、前記計測姿勢に基づき前記ジンバルの所望姿勢を確定するステップと、
前記ジンバルを制御して前記所望姿勢を保つようにしたまま、前記第１の動作モードから前記第２の動作モードへと切り替えるステップと、を前記処理装置に実行させる、制御装置。
【請求項１３】
前記処理装置は、具体的には、飛行制御データに基づき前記ジンバルが前記第１の動作モードから前記第２の動作モードへと切り替える必要があることを確定するために用いられる、請求項１２に記載の制御装置。
【請求項１４】
前記処理装置は、具体的には、前記飛行制御データが無人航空機のホバリングに対応する状況で、前記ジンバルが前記第１の動作モードから前記第２の動作モードへと切り替える必要があることを確定するために用いられる、請求項１３に記載の制御装置。
【請求項１５】
前記処理装置は、具体的には、無人航空機が前記飛行制御データの転送を停止した状況で、前記ジンバルが前記第１の動作モードから前記第２の動作モードへと切り替える必要があることを確定するために用いられる、請求項１３に記載の制御装置。
【請求項１６】
前記第１の動作モードはジンバル固定モードであり、前記第２の動作モードはジンバル追従モードであり、
前記処理装置は、具体的には、前記ジンバルを制御して前記所望姿勢を保つようにしたまま復位を行わない状況で、前記ジンバル固定モードから前記追従モードへと切り替えるために用いられる、請求項１２〜１５のいずれか一項に記載の制御装置。
【請求項１７】
前記処理装置は、具体的には、次のステップによって、前記ジンバルを制御して前記所望姿勢を保つようにしたまま復位を行わない状況で、前記ジンバル固定モードから前記追従モードへと切り替え、
前記計測姿勢に対応する中枠姿勢及び前記計測姿勢に対応するベース姿勢に基づき、前記ジンバルの前記ジンバル固定モードでの角度バイアス値を確定し、
前記所望姿勢に対応する中枠姿勢及び前記計測姿勢に対応するベース姿勢、ならびに前記角度バイアス値に基づき、前記計測姿勢に対応するベース姿勢に対する前記所望姿勢に対応する中枠姿勢のオイラー座標系における角度差を確定し、
前記角度差に基づき追従速度を確定し、前記追従速度を積分して追従コマンドを得る、請求項１６に記載の制御装置。
【請求項１８】
前記処理装置は、具体的には、前記計測姿勢に対応する中枠姿勢のヨーオイラー角と前記計測姿勢に対応するベース姿勢のヨーオイラー角との差に基づき、前記ジンバルの前記ジンバル固定モードでの角度バイアス値を確定するために用いられる、請求項１７に記載の制御装置。
【請求項１９】
前記処理装置は、具体的には、次のステップによって、前記ジンバルを制御して前記所望姿勢を保つようにしたまま復位を行わない状況で、前記ジンバル固定モードから前記追従モードへと切り替えるために用いられ、前記ステップは、
ベース純転動の角度に前記ジンバルの前記ジンバル固定モードでの速度積分コマンド部分で生じた角度及びプッシュコマンド部分で生じた角度を加え、前記ジンバルの前記ジンバル固定モードでの角度バイアス値を得て、
前記所望姿勢に対応する中枠姿勢及び前記計測姿勢に対応するベース姿勢、ならびに前記角度バイアス値に基づき、前記計測姿勢に対応するベース姿勢に対する前記所望姿勢に対応する中枠姿勢のオイラー座標系における角度差を確定し、
前記角度差に基づき追従速度を確定し、前記追従速度を積分して追従コマンドを得ることである、請求項１６に記載の制御装置。
【請求項２０】
前記ジンバルの現在の動作モードは追従モードであり、前記処理装置は、さらに、
前記計測姿勢に対応する中枠姿勢及び前記計測姿勢に対応するベース姿勢に基づき、前記ジンバルの前記ジンバル固定モードでの角度バイアス値を確定することと、
前記角度バイアス値の基礎の上で前記ジンバルの前記追従モードでの速度積分コマンド部分で生じた角度及びプッシュコマンド部分で生じた角度を減じ、前記ジンバルの前記追従モードでのベース純転動の角度を得ることと、
前記ベース純転動の角度を記録することと、のために用いられる、請求項１６〜１９のいずれか一項に記載の制御装置。
【請求項２１】
前記第１の動作モードはジンバル固定モード又は追従モードであり、前記第２の動作モードは復位モードであり、
前記処理装置は、具体的には、次のステップによって、前記ジンバルを制御して前記所望姿勢を保つようにしたまま、前記第１の動作モードから前記第２の動作モードへと切り替えるために用いられ、
前記計測姿勢に対応するベース姿勢及び前記所望姿勢に対応する中枠姿勢に基づき、復位速度を確定し、前記復位速度を積分して速度積分コマンド部分を得て、前記速度積分コマンド部分以外の他のコマンド部分をクリアする、請求項１２〜１５のいずれか一項に記載の制御装置。
【請求項２２】
前記速度積分コマンド部分が、前記所望姿勢に対応する中枠姿勢のヨーオイラー角と前記所望姿勢に対応するベース姿勢のヨーオイラー角との差が所定の範囲内にあるようにする、請求項２１に記載の制御装置。
【請求項２３】
第１の動作モードと第２の動作モードとを含むジンバルであって、現在の動作モードが前記第１の動作モードであるジンバルと、
前記ジンバルの計測姿勢を取得し、前記計測姿勢を前記制御装置に送信するための計測部材と、
前記ジンバルを前記第１の動作モードから前記第２の動作モードへと切り替える必要があることを確定するための制御装置と、を含み、前記計測部材から前記計測姿勢を取得して、前記ジンバルの所望姿勢を確定し、前記ジンバルを制御して前記所望姿勢を保つようにしたまま、前記第１の動作モードから前記第２の動作モードへと切り替える、画像安定化機器。
【請求項２４】
前記制御装置は、具体的には、飛行制御データに基づき前記ジンバルが前記第１の動作モードから前記第２の動作モードへと切り替える必要があることを確定するために用いられる、請求項２３に記載の画像安定化機器。
【請求項２５】
前記制御装置は、具体的には、前記飛行制御データが無人航空機のホバリングに対応する状況で、前記ジンバルが前記第１の動作モードから前記第２の動作モードへと切り替える必要があることを確定するために用いられる、請求項２４に記載の画像安定化機器。
【請求項２６】
前記制御装置は、具体的には、無人航空機が前記飛行制御データの転送を停止した状況で、前記ジンバルが前記第１の動作モードから前記第２の動作モードへと切り替える必要があることを確定するために用いられる、請求項２４に記載の画像安定化機器。
【請求項２７】
前記第１の動作モードはジンバル固定モードであり、前記第２の動作モードはジンバル追従モードであり、
前記制御装置は、具体的には、前記ジンバルを制御して前記所望姿勢を保つようにしたまま復位を行わない状況で、前記ジンバル固定モードから前記追従モードへと切り替えるために用いられる、請求項２３〜２６のいずれか一項に記載の画像安定化機器。
【請求項２８】
前記制御装置は、具体的には、次の方式によって、前記ジンバルを制御して前記所望姿勢を保つようにしたまま復位を行わない状況で、前記ジンバル固定モードから前記ジンバル追従モードへと切り替えるために用いられ、前記方式は
前記計測姿勢に対応する中枠姿勢及び前記計測姿勢に対応するベース姿勢に基づき、前記ジンバルの前記ジンバル固定モードでの角度バイアス値を確定し、
前記所望姿勢に対応する中枠姿勢及び前記計測姿勢に対応するベース姿勢、ならびに前記角度バイアス値に基づき、前記計測姿勢に対応するベース姿勢に対する前記所望姿勢に対応する中枠姿勢のオイラー座標系における角度差を確定し、
前記角度差に基づき追従速度を確定し、前記追従速度を積分して追従コマンドを得ることである、請求項２７に記載の画像安定化機器。
【請求項２９】
前記制御装置は、具体的には、次の方式によって、前記ジンバルの前記ジンバル固定モードでの角度バイアス値を確定するために用いられ、前記方式は、
前記計測姿勢に対応する中枠姿勢のヨーオイラー角と前記計測姿勢に対応するベース姿勢のヨーオイラー角との差に基づき、前記ジンバルの前記ジンバル固定モードでの角度バイアス値を確定することである、請求項２８に記載の画像安定化機器。
【請求項３０】
前記制御装置は、具体的には、次の方式によって、前記ジンバルを制御して前記所望姿勢を保つようにしたまま復位を行わない状況で、前記ジンバル固定モードから前記追従モードへと切り替えるために用いられ、前記方式は、
前記ジンバルのベース純転動の角度に前記ジンバルの前記ジンバル固定モードでの速度積分コマンド部分で生じた角度及びプッシュコマンド部分で生じた角度を加え、前記ジンバルの前記ジンバル固定モードでの角度バイアス値を得て、
前記所望姿勢に対応する中枠姿勢及び前記計測姿勢に対応するベース姿勢、ならびに前記角度バイアス値に基づき、前記計測姿勢に対応するベース姿勢に対する前記所望姿勢に対応する中枠姿勢のオイラー座標系における角度差を確定し、
前記角度差に基づき追従速度を確定し、前記追従速度を積分して追従コマンドを得ることである、請求項２７に記載の画像安定化機器。
【請求項３１】
前記第１の動作モードはジンバル追従モードであり、前記制御装置は、さらに、
前記計測姿勢に対応する中枠姿勢及び前記計測姿勢に対応するベース姿勢に基づき、前記ジンバルの前記ジンバル固定モードでの角度バイアス値を確定することと、
前記角度バイアス値の基礎の上で前記ジンバルの前記追従モードでの速度積分コマンド部分で生じた角度及びプッシュコマンド部分で生じた角度を減じ、前記ジンバルの前記追従モードでのベース純転動の角度を得ることと、
前記ベース純転動の角度を記録することと、のために用いられる、請求項２７〜３０のいずれか一項に記載の画像安定化機器。
【請求項３２】
前記第１の動作モードはジンバル固定モード又はジンバル追従モードであり、前記第２の動作モードは復位モードであり、
前記制御装置は、具体的には、次の方式によって、前記ジンバルを制御して前記所望姿勢を保つようにしたまま、前記第１の動作モードから前記第２の動作モードへと切り替えるために用いられ、
前記計測姿勢に対応するベース姿勢及び前記所望姿勢に対応する中枠姿勢に基づき、復位速度を確定し、前記復位速度を積分して速度積分コマンド部分を得て、前記速度積分コマンド部分以外の他のコマンド部分をクリアする、請求項２３〜２６のいずれか一項に記載の画像安定化機器。
【請求項３３】
前記速度積分コマンド部分が、前記所望姿勢に対応する中枠姿勢のヨーオイラー角と前記所望姿勢に対応するベース姿勢のヨーオイラー角との差が所定の範囲内にあるようにする、請求項３２に記載の画像安定化機器。
【請求項３４】
コンピュータによって実行されるときに、前記コンピュータが請求項１〜１１のいずれか一項に記載の方法を実行するコンピュータプログラムが格納された、コンピュータ記憶媒体。
【請求項３５】
コマンドがコンピュータによって実行されるときに請求項１〜１１のいずれか一項に記載の方法をコンピュータに実行させる、コマンドを含むコンピュータプログラム製品。
【発明の詳細な説明】
【技術分野】
【０００１】
［版権に関する声明］
本特許書類で開示されている内容は、版権の保護を受ける材料を含む。この版権は、版権所有者が所有する。版権所有者は、特許庁の公式なレコード及びドキュメント中に存在するこの特許書類又はこの特許の開示をいかなる者が複製することにも反対しない。
【０００２】
本願は、航空機分野に関するものであり、特に、ジンバル動作モードの切替方法、制御装置及び画像安定化機器に関する。
【背景技術】
【０００３】
航空技術の発展に伴い、例えばＵＡＶ（Ｕｎｍａｎｎｅｄ  Ａｅｒｉａｌ  Ｖｅｈｉｃｌｅ、無人航空機、無人機ともいう）などの航空機が、例えば、ＵＡＶ植物保護、ＵＡＶ航空撮影、ＵＡＶ森林火災モニタリングなどのように、すでに軍用機から徐々に広範な民間機に発展しており、民用化もＵＡＶの将来的な発展の傾向となっている。中でも、航空撮影は、通常、三軸ジンバル技術に基づくジンバルを航空機に搭載し、ジンバル上に撮影装置を設けることが要求される。三軸ジンバル技術は、ピッチ（ｐｉｔｃｈ）角、ヨー（ｙａｗ）角及びロール（ｒｏｌｌ）角に対する制御によって、自動的に安定化し調節することを実現する技術である。
【０００４】
手持ちジンバルは、現在、手ブレ防止分野における発展の一つの重要な方向性である。三軸ジンバル技術を手持ち撮影分野に移転し、撮影中に自動的に安定化しバランスをとることを実現するというものである。撮影装置を手持ちジンバルに挟み、手持ちジンバルは、自動的にユーザの動作に伴い調整して、撮影装置を安定化しバランスがとれた角度に終始保つことができ、撮影される画面をできる限り安定化させる。
【０００５】
常に高まっている撮影の要求に応じるため、従来のジンバルは、撮影装置を搭載して空中で航空撮影を行うことができ、撮影装置を搭載して自動車に取り付け撮影を行うことも、撮影装置を搭載して手持ち撮影を行うこともできる。上記撮影の要求を実現するため、ジンバルは、複数種の動作モードを有することができる。例えば、撮影時にベースがどのように動いてもジンバルの方向が変わらないモードである固定モード、撮影時にジンバルがベースに従い動く追従モード、ジンバルのヨー方向がベースと一致しジンバルのピッチ方向が水平に戻る復位モードなどである。従来のジンバルは、これらの動作モードを切り替えるときに、ジンバルに搭載された撮影装置で撮影した画面に中断、揺らぎ又は遅延などの現象が生じることがある。
【発明の概要】
【発明が解決しようとする課題】
【０００６】
本願は、ジンバルモードを切り替えるときにジンバルに搭載された撮影装置で撮影した画面に揺らぎ又は遅延などの現象が生じることを防止することができるジンバル動作モードの切替方法、制御装置及び画像安定化機器を提供する。
【課題を解決するための手段】
【０００７】
第１の態様において、ジンバルが第１の動作モードから第２の動作モードへと切り替える必要があることを確定することと、前記ジンバルの計測姿勢を取得して、前記計測姿勢に基づき前記ジンバルの所望姿勢を確定することと、前記ジンバルを制御して前記所望姿勢を保つようにしたまま、前記第１の動作モードから前記第２の動作モードへと切り替えることと、を含むジンバル動作モードの切替方法を提供する。
【０００８】
第２の態様において、ジンバルが第１の動作モードから第２の動作モードへと切り替える必要があることを確定することと、前記ジンバルの計測姿勢を取得して、前記計測姿勢に基づき前記ジンバルの所望姿勢を確定することと、前記ジンバルを制御して前記所望姿勢を保つようにしたまま、前記第１の動作モードから前記第２の動作モードへと切り替えることと、に用いられる処理ユニットを含む制御装置を提供する。この制御装置は、ジンバルと通信を行うための送受信ユニットをさらに含む。例えば、送受信ユニットは、ジンバルが送信した姿勢情報を受信し、処理ユニットがこれに基づきジンバルの計測姿勢を取得する。さらに、例えば、送受信ユニットは、処理ユニットの指示の下で、ジンバルに制御信号を送信し、前記ジンバルを制御して前記所望姿勢を保つようにしたまま、前記第１の動作モードから前記第２の動作モードへと切り替える。
【０００９】
第３の態様において、処理装置と、記憶装置と、を含み、前記記憶装置にコンピュータコマンドが格納されており、前記処理装置が前記コンピュータコマンドを実行するときに、前記ジンバルが第１の動作モードから第２の動作モードへと切り替える必要があることを確定するステップと、前記ジンバルの計測姿勢を取得して、前記計測姿勢に基づき前記ジンバルの所望姿勢を確定するステップと、前記ジンバルを制御して前記所望姿勢を保つようにしたまま、前記第１の動作モードから前記第２の動作モードへと切り替えるステップと、を前記処理装置に実行させる制御装置を提供する。
【００１０】
第４の態様において、第１の動作モードと第２の動作モードとを含むジンバルであって、現在の動作モードが前記第１の動作モードであるジンバルと、前記ジンバルの計測姿勢を取得し、前記計測姿勢を前記制御装置に送信するための計測部材と、前記ジンバルが前記第１の動作モードから前記第２の動作モードへと切り替える必要があることを確定するための制御装置と、を含み、前記計測部材から前記計測姿勢を取得して、前記ジンバルの所望姿勢を確定し、前記ジンバルを制御して前記所望姿勢を保つようにしたまま、前記第１の動作モードから前記第２の動作モードへと切り替える画像安定化機器を提供する。
【００１１】
第５の態様において、処理モジュールと、通信インターフェースと、を含み、前記処理モジュールは、前記通信インターフェースを制御して外部と通信を行うために用いられ、前記処理モジュールは、さらに第１の態様で提供されている方法を実現するために用いられるチップを提供する。
【００１２】
第６の態様において、コンピュータによって実行されるときに第１の態様又は第１の態様のいずれかで可能な実施形態における方法を前記コンピュータに実現させるコンピュータプログラムが格納されたコンピュータ可読記憶媒体を提供する。具体的には、前記コンピュータは、上記制御装置であってもよい。
【００１３】
第７の態様において、コマンドがコンピュータによって実行されるときに第１の態様で提供される方法を前記コンピュータに実現させるコマンドを含むコンピュータプログラム製品を提供する。
【００１４】
本願は、ジンバルを制御して所望姿勢を保つようにしたまま、第１の動作モードから第２の動作モードに切り替えることにより、ジンバルの異なる動作モードのシームレスな切替を実現することができ、この種のシームレスな切替は、ジンバルモードを切り替えるときに、ジンバル上に搭載された撮像機器に転動が発生することを防止することができ、これにより異なる撮影状態の移行をユーザが容易に実現することができ、長回しの効果を撮影することができる。そのため、本願の実施例の方法は、先行技術における、ジンバルのモードを切り替えるときに、ジンバルに搭載された撮影装置で撮影した画面に揺らぎ又は遅延などの現象が生じるという問題を解決することができる。
【図面の簡単な説明】
【００１５】
【図１】ジンバルの構造模式図である。
【図２】ジンバルの動作原理の模式図である。
【図３】本願の実施例のジンバル動作モードの切替方法の模式的流れ図である。
【図４】本願の実施例におけるジンバルの固定モードから追従モードへの切替の模式図である。
【図５】本願の実施例におけるジンバルの固定モードから追従モードへの切替の模式図である。
【図６】本願の実施例におけるジンバルの固定モードから追従モードへの切替の模式図である。
【図７】本願の実施例の制御装置の模式的ブロック図である。
【図８】本願の実施例の制御装置の別の模式的ブロック図である。
【図９】本願の実施例の画像安定化機器の模式的ブロック図である。
【発明を実施するための形態】
【００１６】
次に、図面と合わせ、本願の実施例における技術手法について説明する。
【００１７】
別段の定義がある場合を除き、本文で使用されるすべての技術用語及び科学用語は、本願の技術分野の当業者が通常理解する意味と同じである。本文中の本願の明細書において使用される用語は、具体的な実施例を記述する目的のためのものに過ぎず、本願を限定することを意図したものではない。
【００１８】
まず、本願の実施例にかかる関連する技術及び概念について説明する。
【００１９】
ジンバル固定モードとは、撮影中に、ジンバルのヨー角（ｙａｗ角）がベースの動きに伴い変化しないことをいい、通常、空撮又は車載撮影の場面で用いられる。
【００２０】
ジンバル追従モードとは、撮影中に、ジンバルがベースに従い動き、ジンバルのヨー角がベースの転動に伴い変化することをいい、通常、手持ち撮影の場面で用いられる。
【００２１】
ジンバル復位モードとは、ジンバルのヨー方向とベースのヨー方向とが一致し、ジンバルがピッチ方向（ｐｉｔｃｈ方向）で水平に戻ることをいう。
【００２２】
図１は、本願の実施例の方法を用いた三軸ジンバルの模式図である。図１に示すように、三軸ジンバルは、三自由度電動回転台を有し、この三自由度電動回転台は、内枠７と、中枠８と、外枠５と、ジンバルベース４とを含む。具体的には、ジンバルベース４上に外枠５が取り付けられ、外枠５上に中枠８が取り付けられ、中枠８上に内枠７が取り付けられている。外枠５の回転軸上には、ヨー軸モータ３を有する。中枠８の回転軸は、外枠５上に位置し、中枠８の回転軸上には、ロール軸モータ２を有する。内枠７の回転軸上には、ピッチ軸モータ１を有する。ここで、外枠５、中枠８及び内枠７の回転軸は、空間上で互いに垂直であり、かつ一点で交わっている。
【００２３】
図１に示すように、内枠７上にカメラ固定機構６を有し、その内部に、例えばジャイロスコープなどの慣性計測装置を含む。カメラ９は、カメラ固定機構６の中に装着することができる。
【００２４】
ピッチ軸モータ１の稼働によって、内枠７が転動され、カメラ９をピッチ方向に移動させる。内枠７は、ピッチ軸アーム（ｐｉｔｃｈ軸アーム）とも呼ばれる。ロール軸モータ２の稼働によって、中枠８が転動され、カメラ９をロール方向に移動させる。中枠８は、ロール軸アーム（ｒｏｌｌ軸アーム）とも呼ばれる。ヨー軸モータ３の稼働によって、外軸５が転動され、カメラ９を水平方向に移動させる。外枠５は、水平軸アーム又はヨー軸アーム（ｙａｗ軸アーム）とも呼ばれる。
【００２５】
ジンバルの方向又は向きとは、ジンバル上に搭載された撮像機器（例えば、図１におけるカメラ９）の向き、すなわち、ジンバルの内枠の向きをいうと理解すべきである。
【００２６】
本文において言及されているベースとは、いずれもジンバルベースをいう。
【００２７】
図２は、ジンバルの動作原理の模式図である。図２に示すように、ジンバルは、慣性計測装置（例えば、図１に示すカメラ固定機構６の中に位置する慣性計測装置）をフィードバックデバイスとし、三軸モータを出力素子とすることにより、閉ループ制御システムを形成する。この閉ループ制御システムにおける制御量は、ジンバルの姿勢、すなわち、所定の目標姿勢であり、フィードバック制御により計測姿勢が目標姿勢に無限に近づくことを実現する。
【００２８】
具体的には、この閉じた制御システムにおける動作の流れは次のとおりである。遠隔制御装置から出力されたレバー数値とモータのトルクによってジンバルの目標姿勢を決定する。積分器がジンバル上のジャイロスコープ（慣性計測装置）の角速度を積分してジンバルの計測姿勢を得る。目標姿勢と計測姿勢の偏差を制御装置に入力し、制御装置は入力された偏差に基づき三軸モータ（例えば、図１に示したピッチ軸モータ、ロール軸モータ２及びヨー軸モータ３）の稼働を制御し、三軸モータの稼働によって、対応するアームにモーメントを出力させることにより、ジンバルの姿勢を変化させる。この種の閉ループ制御によって、ジンバルの計測姿勢を目標姿勢に常に近づける。
【００２９】
現在、人々の撮影要求に応じるため、固定モード、追従モード及び復位モードなどの多くの新しい機能がジンバルに追加されている。固定モードでは、ジンバルベースがどのように動いても、ジンバルの向きは変わらない。追従モードでは、ジンバルがジンバルベースの動きに従う。復位モードでは、ジンバルのヨー方向がジンバルベースと一致し、ピッチ方向で水平に戻る。本文において言及されているジンバルの方向又はジンバルの向きとは、いずれもジンバルの内枠の向きをいうと理解すべきである。
【００３０】
撮影技術の発展に伴い、ユーザの撮影要求は高まっており、例えば、ユーザは撮影時に長回しの実現を要求している。長回しとは、撮影中に画面が中断することなく、カメラを航空機に取り付けて撮影しても、自動車に取り付けて撮影しても、カメラジンバルに取り付けて撮影しても、これらの撮影場面において任意に切り替えることができ、ジンバル及びカメラが終始動作状態にあり、撮影した画面が中断せずに連続しており、かつ画面に突然揺らぎが生じたり遅延が生じたりすることがないことをいう。
【００３１】
現在、ジンバルは、空撮を行うときには主に固定モードで動作し、手持ち撮影を行うときには主に追従モードで動作する。この２つのモード間で切替を行うときに、ジンバルは、ジンバルベースと追従中心点を改めて探し、この過程において、ジンバルに搭載された撮像機器の向きが転動し、画面の転動をもたらし、モード切替前の場面に合わせることができないため、長回しの効果を撮影することができず、ユーザの撮影要求を満たすことができない。
【００３２】
上記課題に対して、本願は、ジンバルモードを切り替えるときにジンバルに搭載された撮影装置で撮影した画面に揺らぎ又は遅延などの現象が生じることを防止することができるジンバル動作モードの切替方法、制御装置及び画像安定化機器を提案する。
【００３３】
図３は、本願の実施例のジンバル動作モードの切替方法３００の模式的流れ図である。方法３００は、ジンバルを制御する制御装置により実行することができる。図３に示すように、方法３００は、次のステップを含む。
【００３４】
Ｓ３１０、このジンバルが第１の動作モードから第２の動作モードへと切り替える必要があることを確定する。
【００３５】
第１の動作モードとこの第２の動作モードは、ジンバルの２種類の異なる動作モードを表す。例えば、この第１の動作モードはジンバル固定モードであり、この第２の動作モードは追従モード又は復位モードである。又は、この第１の動作モードは追従モードであり、この第２の動作モードはジンバル固定モード又は復位モードである。
【００３６】
具体的には、ジンバルを制御する制御装置は、ジンバルの動作モードの切替を行う必要があるかどうか自己適応的に判断することができ、又は、制御装置は、ユーザのコマンドに基づきジンバルの動作モードの切替を行う必要があるかどうか判断することができ、本願の実施例はこれについて限定しない。
【００３７】
Ｓ３２０、このジンバルの計測姿勢を取得し、この計測姿勢に基づきこのジンバルの所望姿勢を確定する。
【００３８】
具体的には、ジンバルに搭載された慣性計測装置（例えば、図１に示したカメラ固定機構６内部に含まれる慣性計測装置）の計測データに基づき、ジンバルの計測姿勢を取得する。例えば、この慣性計測装置がジャイロスコープである場合、ジャイロスコープの角速度を積分することにより、ジンバルの計測姿勢を得る。
【００３９】
具体的には、この計測姿勢と遠隔制御装置のレバー数値に基づき、このジンバルの所望姿勢を確定する。
【００４０】
一つの例として、このジンバルは、無人航空機上のジンバルである。このジンバルの所望姿勢を確定する流れは次のとおりである。１）ジンバルを初期化するときに、ジンバルと無人航空機とが揃っている。具体的には、ジンバルのピッチ角がゼロであり、ジンバルのロール角がゼロであり、ジンバルのヨー角が無人航空機のヨー角に等しい。２）遠隔制御装置のレバー入力の角速度を取得し、この角速度を積分して、角度を得る。この角度は、ユーザが定義したジンバル姿勢を表す。３）ジンバルの計測姿勢とユーザが定義したジンバル姿勢に基づき、このジンバルの所望姿勢を確定する。
【００４１】
別の例として、このジンバルは、手持ちジンバルである。このジンバルの所望姿勢を確定する流れは次のとおりである。１）ジンバルを初期化するときに、ジンバルとグリップとが揃っている。具体的には、ジンバルのピッチ角がゼロであり、ジンバルのロール角がゼロであり、ジンバルのヨー角がグリップのヨー角に等しい。２）遠隔制御装置のレバー入力の角速度を取得し、この角速度を積分して、角度を得る。この角度は、ユーザが定義したジンバル姿勢を表す。３）ジンバルの計測姿勢とユーザが定義したジンバル姿勢に基づき、このジンバルの所望姿勢を確定する。
【００４２】
遠隔制御装置のレバー入力とは、ユーザが遠隔制御装置を操作した結果であると理解すべきである。よって、遠隔制御装置のレバー数値で表されるジンバル姿勢は、ユーザが定義したジンバル姿勢であると考えることができる。
【００４３】
さらに、モード切替中にジンバルに転動が生じないことをできる限り保証するため、ユーザは、遠隔制御装置を操作することによってジンバル姿勢を定義するときに、原則的にジンバルの現在の計測姿勢を参照して定義し、理想的な状況においては、遠隔制御装置のレバー数値で表されるジンバル姿勢（すなわち、ユーザが定義したジンバル姿勢）とジンバルの計測姿勢が同じであることを理解すべきである。しかしながら、実際には、各種原因によって、遠隔制御装置のレバー数値で表されるジンバル姿勢（すなわち、ユーザが定義したジンバル姿勢）とジンバルの計測姿勢が一致しない可能性がある。ジンバルの計測姿勢とユーザが定義したジンバル姿勢が一致しない場合、ジンバルの計測姿勢を、ジンバルの所望姿勢として確定する。ジンバルの計測姿勢とユーザが定義したジンバル姿勢が一致する場合、ユーザが定義したジンバル姿勢を、ジンバルの所望姿勢として確定することができる。
【００４４】
Ｓ３３０、このジンバルを制御してこの所望姿勢を保つようにしたまま、この第１の動作モードからこの第２の動作モードへと切り替える。
【００４５】
具体的には、ジンバルを制御して第１の動作モードから第２の動作モードへと切り替え、かつ切替中に、ジンバルが所望姿勢をずっと保つよう制御する。言い換えれば、ジンバルの動作モード切替中に、ジンバルの内枠の向きに変化が生じない。
【００４６】
本願の実施例は、ジンバルを制御して所望姿勢を保つようにしたまま、第１の動作モードから第２の動作モードに切り替えることにより、ジンバルの異なる動作モードのシームレスな切替を実現することができ、この種のシームレスな切替は、ジンバルモードを切り替えるときに、ジンバル上に搭載された撮像機器に転動が発生することを防止することができ、これにより異なる撮影状態の移行をユーザが容易に実現することができ、長回しの効果を撮影することができる。そのため、本願の実施例の方法は、先行技術に存在する、ジンバルのモードを切り替えるときに、ジンバルに搭載された撮影装置で撮影した画面に揺らぎ又は遅延などの現象が生じるという問題を解決することができる。
【００４７】
なお、本文で言及されているジンバルの異なる動作モードのシームレスな切替とは、ジンバルの異なる動作モードの切替中に、ジンバルの内枠の向きが変わらないことをいう。
【００４８】
具体的には、ステップＳ３１０において、ジンバルを制御する制御装置は、自己適応的な判断によってこのジンバルが第１の動作モードから第２の動作モードへと切り替える必要があることを確定することができる。
【００４９】
例えば、ジンバルを無人航空機に搭載し、Ｓ３１０において、ジンバルを制御する制御装置が、飛行制御データに基づきこのジンバルがこの第１の動作モードからこの第２の動作モードへと切り替える必要があることを確定する。
【００５０】
具体的には、飛行制御データは、経緯度データ、高度データ又は姿勢データなどの飛行状態情報を含む。飛行制御データは、空撮のために位置及び方向の参照を提供することができると理解すべきである。
【００５１】
選択可能に、一実施形態として、ジンバルを無人航空機に搭載し、ステップＳ３１０は、具体的には、この飛行制御データが無人航空機のホバリングに対応する状況で、このジンバルがこの第１の動作モードからこの第２の動作モードへと切り替える必要があることを確定することを含む。
【００５２】
具体的には、この飛行制御データに対応するものが無人航空機のホバリングの飛行状態情報である場合、このときにジンバルで動作モードの切替を行う必要があることを確定する。
【００５３】
選択可能に、別の実施形態として、ジンバルを無人航空機に搭載し、ステップＳ３１０は、具体的には、無人航空機が飛行制御データの転送を停止した状況で、このジンバルがこの第１の動作モードからこの第２の動作モードへと切り替える必要があることを確定することを含む。
【００５４】
具体的には、無人航空機が飛行制御データの転送を停止したことが検出された場合、ジンバルで動作モードの切替を行う必要があることを確定する。
【００５５】
具体的には、ステップＳ３１０において、ジンバルを制御する制御装置は、さらに、ユーザコマンドによってこのジンバルが第１の動作モードから第２の動作モードへと切り替える必要があることを確定することができる。
【００５６】
選択可能に、いくつかの実施例において、ステップＳ３１０は、具体的には、動作モード切替コマンドを受信することと、この動作モード切替コマンドに基づきこのジンバルが第１の動作モードから第２の動作モードへと切り替える必要があることを確定することとを含む。
【００５７】
選択可能な一実施形態として、動作モード切替コマンドを受信することは、遠隔制御装置又はグリップから送信されたこの動作モード切替コマンドを受信することを含む。
【００５８】
例えば、ユーザが、遠隔制御装置又はグリップによって動作モード切替コマンドを発し、ジンバルを制御する制御装置が、この動作モード切替コマンドを受信した後、上記実施例におけるＳ３２０及びＳ３３０を実行するなど、動作モードの切替の流れをトリガする。
【００５９】
別の選択可能な実施形態として、動作モード切替コマンドを受信することは、端末機器がアプリケーション（Ａｐｐｌｉｃａｔｉｏｎ、アプリ）によって送信したこの動作モード切替コマンドを受信することを含む。
【００６０】
例えば、ユーザが、端末機器にインストールされたアプリによって動作モード切替コマンドを発し、ジンバルを制御する制御装置が、この動作モード切替コマンドを受信した後、上記実施例におけるＳ３２０及びＳ３３０を実行するなど、動作モードの切替の流れをトリガする。
【００６１】
具体的には、ステップＳ３３０において、このジンバルを制御してこの所望姿勢を保つようにしたまま、この第１の動作モードからこの第２の動作モードへと切り替える。動作モードの違いにより、対応する制御コマンドの生成方式も異なる。以下、異なる切替場面を例に説明する。
【００６２】
切替場面１：ジンバル固定モードから追従モードへの切替。
【００６３】
選択可能に、いくつかの実施例において、この第１の動作モードはジンバル固定モードであり、この第２の動作モードはジンバル追従モードであり、ステップＳ３３０は、具体的には、このジンバルを制御してこの所望姿勢を保つようにしたまま復位を行わない状況で、このジンバル固定モードからこの追従モードへと切り替える。
【００６４】
先行技術において、ジンバルでジンバル固定モードと追従モードとの間を切り替える必要がある場合、ジンバルは、ジンバルベースの追従中心点を改めて探し、この過程において、ジンバルに搭載された撮像機器が転動し、画面の転動をもたらし、モード切替前の場面に合わせることができないため、長回しの効果を撮影することができず、ユーザの撮影要求を満たすことができない。
【００６５】
本願の実施例において、このジンバルを制御してこの所望姿勢を保つようにしたまま復位を行わない状況で、このジンバル固定モードからこの追従モードに切り替えることにより、ジンバルのジンバル固定モードから追従モードへのシームレスな切替を比較的良好に保証することができ、これによりモード切替中にジンバルに搭載された撮像機器に転動が生じることを防止することができるため、ユーザが長回しの効果を撮影することを実現することができ、ユーザの撮影要求を満たすことができる。
【００６６】
ジンバル固定モードでは、撮影中に、ジンバルのヨー方向がジンバルベースの動きに伴い変化しない。そのため、ジンバル固定モードでは、ベース姿勢とジンバル姿勢との差に変化が生じる可能性がある。ベース姿勢とジンバル姿勢との差は、速度積分を生じる部分、プッシュコマンド（ｐｕｓｈコマンド）の部分、ベース純転動の部分の３つの部分を含む可能性がある。ジンバル固定モードからジンバル追従モードへと切り替える必要がある場合、ジンバルが動かないことを保証するため、ベース純転動の部分を求める必要がある。
【００６７】
ベース純転動の部分で生じる角度は、ジンバルの現在の中枠姿勢のヨーオイラー角からジンバルの現在のベース姿勢のヨーオイラー角を減じ、さらに速度積分部分で生じる角度を減じてから、プッシュコマンド部分を減じて生じる角度に等しい。
【００６８】
図１に示す三軸ジンバルを例とすると、中枠姿勢とは、中枠８の姿勢をいい、ベース姿勢とは、ジンバルベース４の姿勢をいう。
【００６９】
選択可能に、一実施形態として、ステップＳ３３０、このジンバルを制御してこの所望姿勢を保つようにしたまま復位を行わない状況で、このジンバル固定モードからこの追従モードへと切り替えることは、具体的には、次のステップＳ３３１〜Ｓ３３３を含む。
【００７０】
Ｓ３３１、ジンバルの計測姿勢に対応する中枠姿勢及びこの計測姿勢に対応するベース姿勢に基づき、このジンバルのこのジンバル固定モードでの角度バイアス値を確定する。
【００７１】
計測姿勢に対応する中枠姿勢で表されるものは、現在のジンバルの中枠姿勢である。計測姿勢に対応するベース姿勢で表されるものは、現在のジンバルのベース姿勢である。
【００７２】
具体的には、ジンバルのこのジンバル固定モードでの角度バイアス値を確定する方法は、この計測姿勢に対応する中枠姿勢のヨーオイラー角とこの計測姿勢に対応するベース姿勢のヨーオイラー角との差に基づき、このジンバルのこのジンバル固定モードでの角度バイアス値を確定することとすることができる。
【００７３】
選択可能に、いくつかの実施例において、ジンバルのこのジンバル固定モードでの角度バイアス値を確定する方法は、さらに、この計測姿勢に対応する中枠姿勢の他の座標系での姿勢角とこの計測姿勢に対応するベース姿勢のこの他の座標系での姿勢角との差に基づき、このジンバルのこのジンバル固定モードでの角度バイアス値を確定することとすることができる。ここで言及されている他の座標系とは、オイラー座標系以外の他の実現可能な座標系とすることができ、本発明の実施例ではこれについて限定しない。
【００７４】
Ｓ３３２、この所望姿勢に対応する中枠姿勢及びこの計測姿勢に対応するベース姿勢、ならびにこの角度バイアス値に基づき、この計測姿勢に対応するベース姿勢に対するこの所望姿勢に対応する中枠姿勢のオイラー座標系における角度差を確定する。
【００７５】
具体的には、この所望姿勢に対応する中枠姿勢とこの計測姿勢に対応するベース姿勢に基づき、この所望姿勢に対応する中枠姿勢からこの計測姿勢に対応するベース姿勢への変換姿勢を求め、次いで、この変換姿勢からこの角度バイアス値を減じ、この計測姿勢に対応するベース姿勢に対するこの所望姿勢に対応する中枠姿勢のオイラー座標系における角度差を得る。
【００７６】
Ｓ３３３、この角度差に基づき追従速度を確定し、この追従速度を積分して追従コマンド（ｆｏｌｌｏｗコマンド）を得る。
【００７７】
ジンバルがこの追従コマンドを受信すると、固定モードから追従モードに切り替えられると理解すべきである。
【００７８】
本実施例は、ジンバルの固定モードから追従モードへのシームレスな切替を実現することができる。
【００７９】
選択可能に、別の実施形態として、ステップＳ３３０、このジンバルを制御してこの所望姿勢を保つようにしたまま復位を行わない状況で、このジンバル固定モードからこの追従モードへと切り替えることは、ステップＳ３３４〜Ｓ３３６を含む。
【００８０】
Ｓ３３４、ベース純転動の角度にこのジンバルのこのジンバル固定モードでの速度積分コマンド部分で生じた角度及びプッシュコマンド部分で生じた角度を加え、このジンバルのこのジンバル固定モードでの角度バイアス値を得る。
【００８１】
Ｓ３３５、この所望姿勢に対応する中枠姿勢及びこの計測姿勢に対応するベース姿勢、ならびにこの角度バイアス値に基づき、この計測姿勢に対応するベース姿勢に対するこの所望姿勢に対応する中枠姿勢のオイラー座標系における角度差を確定する。
【００８２】
具体的には、この所望姿勢に対応する中枠姿勢とこの計測姿勢に対応するベース姿勢に基づき、この所望姿勢に対応する中枠姿勢からこの計測姿勢に対応するベース姿勢への変換姿勢を求め、次いで、この変換姿勢からこの角度バイアス値を減じ、この計測姿勢に対応するベース姿勢に対するこの所望姿勢に対応する中枠姿勢のオイラー座標系における角度差を得る。
【００８３】
Ｓ３３６、この角度差に基づき追従速度を確定し、この追従速度を積分して追従コマンドを得る。
【００８４】
ジンバルがこの追従コマンドを受信すると、固定モードから追従モードに切り替えられると理解すべきである。
【００８５】
本実施例は、ジンバルの固定モードから追従モードへのシームレスな切替を実現することができる。
【００８６】
ジンバルは、空撮又は車載撮影を行うときには主にジンバル固定モードで動作し、手持ち撮影を行うときには主に追従モードで動作すると理解すべきである。そのため、上述した切替場面１での動作モード切替方法は、空撮から手持ち撮影への切替、又は車載撮影から手持ち撮影への切替の応用場面に適用することができる。
【００８７】
具体的には、図４から図６は、ジンバルの固定モードから追従モードへの切替の模式図である。図４において、ジンバルは空撮状態で動作し、その動作モードは固定モードである。図５において、ジンバルは動作モード切替過程にあり、すなわち、固定モードから追従モードへと切り替えられている。図６において、ジンバルはすでに追従モードに切り替えられており、手持ち撮影に用いられる。図６に示す場面において、本願の実施例の方法を用いてジンバルの固定モードから追従モードへの切替を完了することができる。
【００８８】
そのため、本実施例は、ジンバルのジンバル固定モードから追従モードへのシームレスな切替を実現することができ、これにより、ジンバルの空撮から手持ちへの、又は車載撮影から手持ちへのシームレスな切替を実現し、ユーザの満足度を高めることができる。
【００８９】
切替場面２：追従モードからジンバル固定モードへの切替。
【００９０】
選択可能に、いくつかの実施例において、ジンバルの現在の動作モードは追従モードであり、この方法３００は、さらに、ジンバルの計測姿勢に対応する中枠姿勢及びこの計測姿勢に対応するベース姿勢に基づき、このジンバルのこのジンバル固定モードでの角度バイアス値を確定することと、この角度バイアス値の基礎の上でこのジンバルのこの追従モードでの速度積分コマンド部分で生じた角度及びプッシュコマンド部分で生じた角度を減じ、このジンバルのこの追従モードでのベース純転動の角度を得ることと、このベース純転動の角度を記録することと、ジンバルを固定モードに切り替える必要があるときに、記録したベース純転動の角度に基づき、固定コマンドを生成することとを含む。
【００９１】
ジンバルがこの固定コマンドを受信すると、追従モードから固定モードに切り替えられると理解すべきである。
【００９２】
さらに、この切替場面２は、手持ち撮影から空撮への切替、又は手持ち撮影から車載撮影への切替といった応用場面に適用することができると理解すべきである。
【００９３】
そのため、本実施例は、ジンバルの追従モードからジンバル固定モードへのシームレスな切替を実現することができ、これにより、ジンバルの手持ちから空撮への、又は手持ちから車載撮影へのシームレスな切替を実現し、ユーザの満足度を高めることができる。
【００９４】
切替場面３：追従モード又はジンバル固定モードから復位モードへの切替。
【００９５】
選択可能に、いくつかの実施例において、この第１の動作モードはジンバル固定モード又は追従モードであり、この第２の動作モードは復位モードであり、ステップＳ３３０は、具体的には、次のステップＳ３３７及びＳ３３８を含む。
【００９６】
Ｓ３３７、この計測姿勢に対応するベース姿勢及びこの所望姿勢に対応する中枠姿勢に基づき、復位速度を確定する。
【００９７】
具体的には、計測姿勢に対応するベース姿勢のヨーオイラー角と所望姿勢に対応する中枠姿勢のヨーオイラー角について差を求め、復位速度を得る。
【００９８】
Ｓ３３８、この復位速度を積分して速度積分コマンド部分を得て、この速度積分コマンド部分以外の他のコマンド部分をクリアする。
【００９９】
具体的には、この速度積分コマンド部分以外の他のコマンド部分は、プッシュコマンド部分と、追従コマンド部分と、ベース純転動部分とを含む。
【０１００】
選択可能に、本実施例では、この速度積分コマンド部分が、この所望姿勢に対応する中枠姿勢のヨーオイラー角とこの所望姿勢に対応するベース姿勢のヨーオイラー角との差が所定の範囲内にあるようにする。
【０１０１】
具体的には、計測姿勢に対応するベース姿勢のヨーオイラー角と所望姿勢に対応する中枠姿勢のヨーオイラー角について差を求め、復位速度を得る過程において、計測姿勢に対応するベース姿勢のヨーオイラー角と所望姿勢に対応する中枠姿勢のヨーオイラー角との差が所定の範囲内にある場合、復位が完了したと考え、現在得られた復位速度を積分して速度積分コマンド部分を得るとともに、プッシュコマンド部分、追従コマンド部分及びベース純転動部分をクリアする。
【０１０２】
本実施例にかかる所定の範囲は、経験値であってもよい。
【０１０３】
本実施例は、固定モードから復位モードへのシームレスな切替を実現することができ、又は、追従モードから復位モードへのシームレスな切替を実現することができ、これによりユーザの満足度を高めることができる。
【０１０４】
ジンバルが復位を完了した後、追従モード又は固定モードがオンになると理解すべきである。例えば、ジンバルが復位を完了した後、追従モードに入る必要がある場合、追従モードをオンにする。又は、ジンバルが復位を完了した後、固定モードに入る必要がある場合、固定モードをオンにする。
【０１０５】
上記からわかるように、本願の実施例は、ジンバルを制御して所望姿勢を保つようにしたまま、第１の動作モードから第２の動作モードに切り替えることにより、ジンバルの異なる動作モードのシームレスな切替を実現することができ、この種のシームレスな切替は、ジンバルモードを切り替えるときに、ジンバル上に搭載された撮像機器に転動が発生することを防止することができ、これにより異なる撮影状態の移行をユーザが容易に実現することができ、長回しの効果を撮影することができる。そのため、本願の実施例の方法は、先行技術に存在する、ジンバルのモードを切り替えるときに、ジンバルに搭載された撮影装置で撮影した画面に揺らぎ又は遅延などの現象が生じるという問題を解決することができる。
【０１０６】
以上、本願の方法の実施例について説明した。以下、本願の装置の実施例について説明する。装置の実施例の説明は、方法の実施例の説明と互いに対応するものであると理解すべきであるため、詳細に記述されていない内容は、上記方法の実施例を参照することができ、簡潔にするため、ここでは詳しく述べない。
【０１０７】
図７は、本願の実施例の制御装置７００の模式的ブロック図であり、この制御装置７００は、ジンバルを制御するために用いられる。図７に示すように、この制御装置７００は、次のものを含む。
【０１０８】
処理ユニット７１０は、このジンバルを第１の動作モードから第２の動作モードへと切り替える必要があることを確定することと、このジンバルの計測姿勢を取得して、この計測姿勢に基づきこのジンバルの所望姿勢を確定することと、このジンバルを制御してこの所望姿勢を保つようにしたまま、この第１の動作モードからこの第２の動作モードへと切り替えることとのために用いられる。
【０１０９】
この制御装置７００は、ジンバルと通信を行うための送受信ユニット７２０をさらに含むと理解すべきである。例えば、送受信ユニット７２０は、ジンバルが送信した姿勢情報を受信し、処理ユニット７１０がこれに基づきジンバルの計測姿勢を取得する。さらに、例えば、送受信ユニット７２０は、処理ユニット７１０の指示の下で、ジンバルに制御信号を送信し、このジンバルを制御してこの所望姿勢を保つようにしたまま、この第１の動作モードからこの第２の動作モードへと切り替える。
【０１１０】
選択可能に、いくつかの実施例において、処理ユニット７１０は、具体的には、飛行制御データに基づきこのジンバルがこの第１の動作モードからこの第２の動作モードへと切り替える必要があることを確定するために用いられる。
【０１１１】
選択可能に、いくつかの実施例において、処理ユニット７１０は、具体的には、この飛行制御データが無人航空機のホバリングに対応する状況で、このジンバルがこの第１の動作モードからこの第２の動作モードへと切り替える必要があることを確定するために用いられる。
【０１１２】
選択可能に、いくつかの実施例において、処理ユニット７１０は、具体的には、無人航空機がこの飛行制御データの転送を停止した状況で、このジンバルがこの第１の動作モードからこの第２の動作モードへと切り替える必要があることを確定するために用いられる。
【０１１３】
選択可能に、いくつかの実施例において、この第１の動作モードはジンバル固定モードであり、この第２の動作モードはジンバル追従モードであり、処理ユニット７１０は、具体的には、このジンバルを制御してこの所望姿勢を保つようにしたまま復位を行わない状況で、このジンバル固定モードからこの追従モードへと切り替えるために用いられる。
【０１１４】
選択可能に、いくつかの実施例において、処理ユニット７１０は、具体的には、この計測姿勢に対応する中枠姿勢及びこの計測姿勢に対応するベース姿勢に基づき、このジンバルのこのジンバル固定モードでの角度バイアス値を確定することと、この所望姿勢に対応する中枠姿勢及びこの計測姿勢に対応するベース姿勢、ならびにこの角度バイアス値に基づき、この計測姿勢に対応するベース姿勢に対するこの所望姿勢に対応する中枠姿勢のオイラー座標系における角度差を確定することと、この角度差に基づき追従速度を確定し、この追従速度を積分して追従コマンドを得ることとのために用いられる。送受信ユニット７２０は、この追従コマンドをジンバルに送信するために用いられる。
【０１１５】
選択可能に、いくつかの実施例において、処理ユニット７１０は、具体的には、この計測姿勢に対応する中枠姿勢のヨーオイラー角とこの計測姿勢に対応するベース姿勢のヨーオイラー角との差に基づき、このジンバルのこのジンバル固定モードでの角度バイアス値を確定するために用いられる。
【０１１６】
選択可能に、いくつかの実施例において、処理ユニット７１０は、具体的には、ベース純転動の角度にこのジンバルのこのジンバル固定モードでの速度積分コマンド部分で生じた角度及びプッシュコマンド部分で生じた角度を加え、このジンバルのこのジンバル固定モードでの角度バイアス値を得ることと、この所望姿勢に対応する中枠姿勢及びこの計測姿勢に対応するベース姿勢、ならびにこの角度バイアス値に基づき、この計測姿勢に対応するベース姿勢に対するこの所望姿勢に対応する中枠姿勢のオイラー座標系における角度差を確定することと、この角度差に基づき追従速度を確定し、この追従速度を積分して追従コマンドを得ることとのために用いられる。送受信ユニット７２０は、この追従コマンドをジンバルに送信するために用いられる。
【０１１７】
選択可能に、いくつかの実施例において、このジンバルの現在の動作モードは追従モードであり、処理ユニット７１０は、さらに、この計測姿勢に対応する中枠姿勢及びこの計測姿勢に対応するベース姿勢に基づき、このジンバルのこのジンバル固定モードでの角度バイアス値を確定することと、この角度バイアス値の基礎の上でこのジンバルのこの追従モードでの速度積分コマンド部分で生じた角度及びプッシュコマンド部分で生じた角度を減じ、このジンバルのこの追従モードでのベース純転動の角度を得ることと、このベース純転動の角度を記録することとのために用いられる。
【０１１８】
選択可能に、いくつかの実施例において、この第１の動作モードはジンバル固定モード又は追従モードであり、この第２の動作モードは復位モードであり、処理ユニット７１０は、具体的には、この計測姿勢に対応するベース姿勢及びこの所望姿勢に対応する中枠姿勢に基づき、復位速度を確定し、この復位速度を積分して速度積分コマンド部分を得て、この速度積分コマンド部分以外の他のコマンド部分をクリアするために用いられる。
【０１１９】
選択可能に、いくつかの実施例では、この速度積分コマンド部分が、この所望姿勢に対応する中枠姿勢のヨーオイラー角とこの所望姿勢に対応するベース姿勢のヨーオイラー角との差が所定の範囲内にあるようにする。
【０１２０】
図８に示すように、本発明の実施例は、さらに、制御装置８００を提供する。この制御装置８００は、ジンバルを制御する制御装置である。図８に示すように、この制御装置８００は、処理装置８１０と、記憶装置８２０とを含み、この記憶装置８２０にはコンピュータコマンドが格納され、この処理装置８１０がこのコンピュータコマンドを実行するときに、このジンバルが第１の動作モードから第２の動作モードへと切り替える必要があることを確定するステップと、このジンバルの計測姿勢を取得して、この計測姿勢に基づきこのジンバルの所望姿勢を確定するステップと、このジンバルを制御してこの所望姿勢を保つようにしたまま、この第１の動作モードからこの第２の動作モードへと切り替えるステップとをこの処理装置８１０に実行させる。
【０１２１】
図８に示すように、制御装置８００は、ジンバルと通信を行うために送受信装置８３０をさらに含む。例えば、送受信装置８３０は、ジンバルが送信した姿勢情報を受信し、処理装置８１０がこれに基づきジンバルの計測姿勢を取得する。さらに、例えば、送受信装置８３０は、処理装置８１０の指示の下で、ジンバルに制御信号を送信し、このジンバルを制御してこの所望姿勢を保つようにしたまま、この第１の動作モードからこの第２の動作モードへと切り替える。
【０１２２】
選択可能に、いくつかの実施例において、処理装置８１０は、具体的には、飛行制御データに基づきこのジンバルがこの第１の動作モードからこの第２の動作モードへと切り替える必要があることを確定するために用いられる。
【０１２３】
選択可能に、いくつかの実施例において、処理装置８１０は、具体的には、この飛行制御データが無人航空機のホバリングに対応する状況で、このジンバルがこの第１の動作モードからこの第２の動作モードへと切り替える必要があることを確定するために用いられる。
【０１２４】
選択可能に、いくつかの実施例において、処理装置８１０は、具体的には、無人航空機がこの飛行制御データの転送を停止した状況で、このジンバルがこの第１の動作モードからこの第２の動作モードへと切り替える必要があることを確定するために用いられる。
【０１２５】
選択可能に、いくつかの実施例において、この第１の動作モードはジンバル固定モードであり、この第２の動作モードはジンバル追従モードであり、処理装置８１０は、具体的には、このジンバルを制御してこの所望姿勢を保つようにしたまま復位を行わない状況で、このジンバル固定モードからこの追従モードへと切り替えるために用いられる。
【０１２６】
選択可能に、いくつかの実施例において、処理装置８１０は、具体的には、この計測姿勢に対応する中枠姿勢及びこの計測姿勢に対応するベース姿勢に基づき、このジンバルのこのジンバル固定モードでの角度バイアス値を確定することと、この所望姿勢に対応する中枠姿勢及びこの計測姿勢に対応するベース姿勢、ならびにこの角度バイアス値に基づき、この計測姿勢に対応するベース姿勢に対するこの所望姿勢に対応する中枠姿勢のオイラー座標系における角度差を確定することと、この角度差に基づき追従速度を確定し、この追従速度を積分して追従コマンドを得ることとのために用いられる。送受信装置８３０は、この追従コマンドをジンバルに送信するために用いられる。
【０１２７】
選択可能に、いくつかの実施例において、処理装置８１０は、具体的には、この計測姿勢に対応する中枠姿勢のヨーオイラー角とこの計測姿勢に対応するベース姿勢のヨーオイラー角との差に基づき、このジンバルのこのジンバル固定モードでの角度バイアス値を確定するために用いられる。
【０１２８】
選択可能に、いくつかの実施例において、処理装置８１０は、具体的には、ベース純転動の角度にこのジンバルのこのジンバル固定モードでの速度積分コマンド部分で生じた角度及びプッシュコマンド部分で生じた角度を加え、このジンバルのこのジンバル固定モードでの角度バイアス値を得ることと、この所望姿勢に対応する中枠姿勢及びこの計測姿勢に対応するベース姿勢、ならびにこの角度バイアス値に基づき、この計測姿勢に対応するベース姿勢に対するこの所望姿勢に対応する中枠姿勢のオイラー座標系における角度差を確定することと、この角度差に基づき追従速度を確定し、この追従速度を積分して追従コマンドを得ることとのために用いられる。送受信装置８３０は、この追従コマンドをジンバルに送信するために用いられる。
【０１２９】
選択可能に、いくつかの実施例において、このジンバルの現在の動作モードは追従モードであり、処理装置８１０は、さらに、この計測姿勢に対応する中枠姿勢及びこの計測姿勢に対応するベース姿勢に基づき、このジンバルのこのジンバル固定モードでの角度バイアス値を確定することと、この角度バイアス値の基礎の上でこのジンバルのこの追従モードでの速度積分コマンド部分で生じた角度及びプッシュコマンド部分で生じた角度を減じ、このジンバルのこの追従モードでのベース純転動の角度を得ることと、このベース純転動の角度を記録することとのために用いられる。
【０１３０】
選択可能に、いくつかの実施例において、この第１の動作モードはジンバル固定モード又は追従モードであり、この第２の動作モードは復位モードであり、処理装置８１０は、具体的には、この計測姿勢に対応するベース姿勢及びこの所望姿勢に対応する中枠姿勢に基づき、復位速度を確定し、この復位速度を積分して速度積分コマンド部分を得て、この速度積分コマンド部分以外の他のコマンド部分をクリアするために用いられる。
【０１３１】
選択可能に、いくつかの実施例では、この速度積分コマンド部分が、この所望姿勢に対応する中枠姿勢のヨーオイラー角とこの所望姿勢に対応するベース姿勢のヨーオイラー角との差が所定の範囲内にあるようにする。
【０１３２】
図９に示すように、本発明の実施例は、さらに、画像安定化機器９００を提供する。画像安定化機器９００は、次のものを含む。
【０１３３】
第１の動作モードと第２の動作モードとを含み、かつ現在の動作モードがこの第１の動作モードであるジンバル９１０。
【０１３４】
このジンバルの計測姿勢を取得し、この計測姿勢をこの制御装置９３０に送信するために用いられる計測部材９２０。
【０１３５】
このジンバル９１０がこの第１の動作モードからこの第２の動作モードへと切り替える必要があることを確定することと、この計測部材９２０からこの計測姿勢を取得し、このジンバル９１０の所望姿勢を確定することと、このジンバル９１０を制御してこの所望姿勢を保つようにしたまま、この第１の動作モードからこの第２の動作モードへと切り替えることとのために用いられる制御装置９３０。
【０１３６】
選択可能に、いくつかの実施例において、この制御装置９３０は、具体的には、飛行制御データに基づきこのジンバルがこの第１の動作モードからこの第２の動作モードへと切り替える必要があることを確定するために用いられる。
【０１３７】
選択可能に、いくつかの実施例において、この制御装置９３０は、具体的には、この飛行制御データが無人航空機のホバリングに対応する状況で、このジンバルがこの第１の動作モードからこの第２の動作モードへと切り替える必要があることを確定するために用いられる。
【０１３８】
選択可能に、いくつかの実施例において、この制御装置９３０は、具体的には、無人航空機がこの飛行制御データの転送を停止した状況で、このジンバルがこの第１の動作モードからこの第２の動作モードへと切り替える必要があることを確定するために用いられる。
【０１３９】
選択可能に、いくつかの実施例において、この第１の動作モードはジンバル固定モードであり、この第２の動作モードはジンバル追従モードであり、この制御装置９３０は、具体的には、このジンバルを制御してこの所望姿勢を保つようにしたまま復位を行わない状況で、このジンバル固定モードからこの追従モードへと切り替えるために用いられる。
【０１４０】
選択可能に、いくつかの実施例において、この制御装置９３０は、具体的には、次の方式によってこのジンバルを制御してこの所望姿勢を保つようにしたまま復位を行わない状況で、このジンバル固定モードからこのジンバル追従モードへと切り替えるために用いられる。
【０１４１】
この計測姿勢に対応する中枠姿勢及びこの計測姿勢に対応するベース姿勢に基づき、このジンバルのこのジンバル固定モードでの角度バイアス値を確定し、この所望姿勢に対応する中枠姿勢及びこの計測姿勢に対応するベース姿勢、ならびにこの角度バイアス値に基づき、この計測姿勢に対応するベース姿勢に対するこの所望姿勢に対応する中枠姿勢のオイラー座標系における角度差を確定し、この角度差に基づき追従速度を確定し、この追従速度を積分して追従コマンドを得る。
【０１４２】
選択可能に、いくつかの実施例において、この制御装置９３０は、具体的には、次の方式によってこのジンバルのこのジンバル固定モードでの角度バイアス値を確定することと、この計測姿勢に対応する中枠姿勢のヨーオイラー角とこの計測姿勢に対応するベース姿勢のヨーオイラー角との差に基づき、このジンバルのこのジンバル固定モードでの角度バイアス値を確定することとのために用いられる。
【０１４３】
選択可能に、いくつかの実施例において、この制御装置９３０は、具体的には、次の方式によってこのジンバルを制御してこの所望姿勢を保つようにしたまま復位を行わない状況で、このジンバル固定モードからこの追従モードへと切り替えるために用いられる。
【０１４４】
このジンバルのベース純転動の角度にこのジンバルのこのジンバル固定モードでの速度積分コマンド部分で生じた角度及びプッシュコマンド部分で生じた角度を加え、このジンバルのこのジンバル固定モードでの角度バイアス値を得て、この所望姿勢に対応する中枠姿勢及びこの計測姿勢に対応するベース姿勢、ならびにこの角度バイアス値に基づき、この計測姿勢に対応するベース姿勢に対するこの所望姿勢に対応する中枠姿勢のオイラー座標系における角度差を確定し、この角度差に基づき追従速度を確定し、この追従速度を積分して追従コマンドを得る。
【０１４５】
選択可能に、いくつかの実施例において、この第１の動作モードはジンバル追従モードであり、この制御装置９３０は、さらに次のことに用いられる。
【０１４６】
この計測姿勢に対応する中枠姿勢及びこの計測姿勢に対応するベース姿勢に基づき、このジンバルのこのジンバル固定モードでの角度バイアス値を確定し、この角度バイアス値の基礎の上でこのジンバルのこの追従モードでの速度積分コマンド部分で生じた角度及びプッシュコマンド部分で生じた角度を減じ、このジンバルのこの追従モードでのベース純転動の角度を得て、このベース純転動の角度を記録する。
【０１４７】
選択可能に、いくつかの実施例において、この第１の動作モードはジンバル固定モード又はジンバル追従モードであり、この第２の動作モードは復位モードである。
【０１４８】
この制御装置９３０は、具体的には、次の方式によってこのジンバルを制御してこの所望姿勢を保つようにしたまま、この第１の動作モードからこの第２の動作モードへと切り替えることと、この計測姿勢に対応するベース姿勢及びこの所望姿勢に対応する中枠姿勢に基づき、復位速度を確定し、この復位速度を積分して速度積分コマンド部分を得て、この速度積分コマンド部分以外の他のコマンド部分をクリアすることとのために用いられる。
【０１４９】
選択可能に、いくつかの実施例では、この速度積分コマンド部分が、この所望姿勢に対応する中枠姿勢のヨーオイラー角とこの所望姿勢に対応するベース姿勢のヨーオイラー角との差が所定の範囲内にあるようにする。
【０１５０】
本実施例における制御装置９３０は、上記装置の実施例で提供した制御装置７００又は制御装置８００に対応することができると理解すべきである。
【０１５１】
本願の実施例において言及されている処理装置は、中央処理装置（Ｃｅｎｔｒａｌ  Ｐｒｏｃｅｓｓｉｎｇ  Ｕｎｉｔ，ＣＰＵ）であっても、その他の汎用プロセッサ、デジタルシグナルプロセッサ（Ｄｉｇｉｔａｌ  Ｓｉｇｎａｌ  Ｐｒｏｃｅｓｓｏｒ，ＤＳＰ）、特定用途向け統合回路（Ａｐｐｌｉｃａｔｉｏｎ  Ｓｐｅｃｉｆｉｃ  Ｉｎｔｅｇｒａｔｅｄ  Ｃｉｒｃｕｉｔ，ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ，ＦＰＧＡ）又はその他のプログラマブルロジックデバイス、ディスクリートゲート又はトランジスタロジックデバイス、ディスクリートハードウェアアセンブリなどであってもよいと理解すべきである。汎用プロセッサは、マイクロプロセッサであってもよく、この処理装置は、いかなる通常の処理装置などであってもよい。
【０１５２】
さらに、本願の実施例において言及されている記憶装置は、揮発性メモリ又は不揮発性メモリであっても、又は揮発性及び不揮発性メモリの両者を含んでもよいと理解すべきである。ここで、不揮発性メモリは、リードオンリーメモリ（Ｒｅａｄ−Ｏｎｌｙ  Ｍｅｍｏｒｙ，ＲＯＭ）、プログラマブルリードオンリーメモリ（Ｐｒｏｇｒａｍｍａｂｌｅ  ＲＯＭ，ＰＲＯＭ）、消去可能プログラマブルリードオンリーメモリ（Ｅｒａｓａｂｌｅ  ＰＲＯＭ，ＥＰＲＯＭ）、電気的消去可能プログラマブルリードオンリーメモリ（Ｅｌｅｃｔｒｉｃａｌｌｙ  ＥＰＲＯＭ，ＥＥＰＲＯＭ）又はフラッシュメモリとすることができる。揮発性メモリは、外部で高速で一時的に保存するために用いられるランダムアクセスメモリ（Ｒａｎｄｏｍ  Ａｃｃｅｓｓ  Ｍｅｍｏｒｙ，ＲＡＭ）とすることができる。例示的であるが限定的なものではない説明によって、例えば、スタティックランダムアクセスメモリ（Ｓｔａｔｉｃ  ＲＡＭ，ＳＲＡＭ）、ダイナミックランダムアクセスメモリ（Ｄｙｎａｍｉｃ  ＲＡＭ，ＤＲＡＭ）、シンクロナスダイナミックランダムアクセスメモリ（Ｓｙｎｃｈｒｏｎｏｕｓ  ＤＲＡＭ，ＳＤＲＡＭ）、ダブルデータレートシンクロナスダイナミックランダムアクセスメモリ（Ｄｏｕｂｌｅ  Ｄａｔａ  Ｒａｔｅ  ＳＤＲＡＭ，ＤＤＲ  ＳＤＲＡＭ）、エンハンストシンクロナスダイナミックランダムアクセスメモリ（Ｅｎｈａｎｃｅｄ  ＳＤＲＡＭ，ＥＳＤＲＡＭ）、シンクリンクダイナミックランダムアクセスメモリ（Ｓｙｎｃｈｌｉｎｋ  ＤＲＡＭ，ＳＬＤＲＡＭ）及びダイレクトラムバスランダムアクセスメモリ（Ｄｉｒｅｃｔ  Ｒａｍｂｕｓ  ＲＡＭ，ＤＲ  ＲＡＭ）などの多くの形式のＲＡＭを用いることができる。
【０１５３】
なお、処理装置が汎用プロセッサ、ＤＳＰ、ＡＳＩＣ、ＦＰＧＡ又はその他のプログラマブルロジックデバイス、ディスクリートゲート又はトランジスタロジックデバイス、ディスクリートハードウェアアセンブリである場合、記憶装置（記憶モジュール）は、処理装置の中に統合される。
【０１５４】
本文に記載された記憶装置は、これらの任意のその他の適合するタイプの記憶装置を含むが、これらに限定されないことに注意すべきである。
【０１５５】
本願の実施例は、さらに、コマンドが格納され、コマンドをコンピュータで実行するときに、上記各方法の実施例の方法をコンピュータに実行させるコンピュータ可読記憶媒体を提供する。
【０１５６】
本願の実施例は、さらに、上記コンピュータ可読記憶媒体を含む計算機器を提供する。
【０１５７】
本願の実施例は、航空機、特に無人機分野に適用することができる。
【０１５８】
上記実施例において、全部又は部分的に、ソフトウェア、ハードウェア、ファームウェア又はその任意の組み合わせによって実現することができる。ソフトウェアを使用して実現する場合、全部又は部分的にコンピュータプログラム製品の形式で実現することができる。コンピュータプログラム製品は、一つ又は複数のコンピュータコマンドを含む。コンピュータでコンピュータコマンドをロードし実行する際に、全部又は部分的に本願の実施例による流れ又は機能を生じさせる。コンピュータは、汎用コンピュータ、専用コンピュータ、コンピュータネットワーク、又はその他のプログラマブル装置とすることができる。コンピュータコマンドは、コンピュータ可読記憶媒体の中に格納するか、又は一つのコンピュータ可読記憶媒体から別のコンピュータ可読記憶媒体に転送することができ、例えば、コンピュータコマンドは、一つのウェブサイト、コンピュータ、サーバ又はデータセンターから有線（例えば同軸ケーブル、光ファイバ、デジタル加入者線（Ｄｉｇｉｔａｌ  Ｓｕｂｓｃｒｉｂｅｒ  Ｌｉｎｅ，ＤＳＬ））又は無線（例えば赤外線、ワイヤレス、マイクロ波など）の方式で、別のウェブサイト、コンピュータ、サーバ又はデータセンターに転送することができる。コンピュータ可読記憶媒体は、コンピュータがアクセスできるあらゆる使用可能な媒体又は一つ又は複数の使用可能な媒体が統合したサーバ、データセンターなどのデータ記憶装置とすることができる。使用可能な媒体は、磁気媒体（例えば、フロッピーディスク、ハードディスク、磁気テープ）、光媒体（例えば、デジタルバーサタイルディスク（Ｄｉｇｉｔａｌ  Ｖｉｄｅｏ  Ｄｉｓｃ，ＤＶＤ））、又は半導体媒体（例えば、ソリッドステートドライブ（Ｓｏｌｉｄ  Ｓｔａｔｅ  Ｄｉｓｋ，ＳＳＤ））などとすることができる。
【０１５９】
本願の各実施例は、いずれも総ビット幅を１６桁（ｂｉｔ）とする例で説明したが、本願の各実施例は、他のビット幅にも適用できると理解すべきである。
【０１６０】
明細書全体で言及されている「一つの実施例」又は「一実施例」とは、実施例に関する特定の特徴、構造又は特性が、本願の少なくとも一つの実施例に含まれていることを意味すると理解すべきである。そのため、明細書全体の各所で現れる「一つの実施例において」又は「一実施例において」は、必ずしも同じ実施例をいうわけではない。また、これらの特定の特徴、構造又は特性は、任意の適した方式で一つ又は複数の実施例の中に接続することができる。
【０１６１】
本願の各種実施例において、上記各過程の番号の大きさは、実行順序の前後を意味するものではなく、各過程の実行順序は、その機能及び内在的な論理によって確定するものとし、本願の実施例の実施過程に対していかなる限定も構成するものではないと理解すべきである。
【０１６２】
本願の実施例において、「Ａに対応するＢ」とは、ＢがＡと関連するものであり、Ａに基づきＢを確定することができると理解すべきである。しかしながら、さらに、Ａに基づきＢを確定することは、Ａのみに基づきＢを確定することを意味せず、Ａとその他の情報の少なくともひとつに基づきＢを確定することができると理解すべきである。
【０１６３】
本文における用語「少なくともひとつ」は、関連対象の関連関係を記述しているにすぎず、３種の関係が存在することを表し、例えば、ＡとＢの少なくともひとつは、Ａが単独で存在するとともに、Ａ及びＢが存在し、Ｂが単独で存在するという３種類の状況を表すことができると理解すべきである。また、本文における記号「／」は、一般に、前後関連対象が「又は」の関係であることを表す。
【０１６４】
当業者は、本文において開示されている実施例に記載された各例のユニット及び演算ステップを組み合わせ、電子ハードウェア、又はコンピュータソフトウェア及び電子ハードウェアの組み合わせによって実現することができることを認識することができる。これらの機能は、ハードウェアで実行するのかソフトウェアの形態で実行するのかは、技術手法の特定のアプリケーション及び設計の拘束条件によって決まる。当業者は、各々の特定のアプリケーションについて、記載された機能を異なる方法で実現することができるが、この種の実現は、本願の範囲を超えるものと考えるべきではない。
【０１６５】
当業者は、記載の便利さ及び簡潔さのために、上述したシステム、装置及びユニットの具体的な動作過程は、前述の方法の実施例における対応する過程を参照することができ、ここでは詳しく述べないことを明確に理解することができる。
【０１６６】
本願で提供するいくつかの実施例において、開示されているシステム、装置及び方法は、その他の方式によって実現してもよいことを理解すべきである。例えば、上述した装置の実施例は、概略的なものに過ぎず、例えば、前記ユニットの区分は、論理的な機能の区分に過ぎず、実際の実現の際には、別の区分方式を有してもよく、例えば、複数のユニット又はアセンブリを接続するか、又は別のシステムに統合してもよく、又は一部の特徴を省略しても、実行しなくてもよい。もう一点、示された、又は考察された互いの間の接続又は直接接続又は通信接続は、いくつかのインターフェース、装置又はユニットの間接接続又は通信接続としてもよく、電気的、機械又はその他の形式とすることができる。
【０１６７】
前記分離部材として説明したユニットは、物理的に分けられたものであっても、又は分けられていないものであってもよく、ユニットとして示された部材は、物理的なユニットであっても、又はそうでなくてもよく、すなわち、一つの場所に位置していても、又は複数のネットワークユニットに分布していてもよい。実際の必要に応じて、一部又は全部のユニットを選択し、本実施例の手法の目的を実現してもよい。
【０１６８】
また、本願の各実施例における各機能ユニットは、一つの処理ユニットの中に統合しても、各ユニットが単独で物理的に存在しても、複数のユニットを一つのユニットの中に統合してもよい。
【０１６９】
上述した内容は、本願の具体的な実施形態にすぎないが、本願の保護範囲はこれに限定されず、当業者が本願で開示された技術範囲内で容易に想到できる変更又は置き換えは、いずれも本願の保護範囲内にあるものとする。そのため、本願の保護範囲は、特許請求の範囲の保護範囲を基準とするものとする。
【図１】
2021508067.tif 000003
【図２】
2021508067.tif 000004
【図３】
2021508067.tif 000005
【図４】
2021508067.tif 000006
【図５】
2021508067.tif 000007
【図６】
2021508067.tif 000008
【図７】
2021508067.tif 000009
【図８】
2021508067.tif 000010
【図９】
2021508067.tif 000011
【手続補正書】
【提出日】令和2年5月29日(2020.5.29)
【手続補正１】
【補正対象書類名】特許請求の範囲
【補正対象項目名】全文
【補正方法】変更
【補正の内容】
【特許請求の範囲】
【請求項１】
ジンバルが第１の動作モードから第２の動作モードへと切り替える必要があることを確定することと、
前記ジンバルの計測姿勢を取得し、前記計測姿勢に基づき前記ジンバルの所望姿勢を確定することと、
前記ジンバルを制御して前記所望姿勢を保つようにしたまま、前記第１の動作モードから前記第２の動作モードへと切り替えることと、を含む、ジンバル動作モードの切替方法。
【請求項２】
前記ジンバルが第１の動作モードから第２の動作モードへと切り替える必要があることを確定することは、
飛行制御データに基づき前記ジンバルが前記第１の動作モードから前記第２の動作モードへと切り替える必要があることを確定することを含む、請求項１に記載の方法。
【請求項３】
前記飛行制御データに基づき前記ジンバルが前記第１の動作モードから前記第２の動作モードへと切り替える必要があることを確定することは、
前記飛行制御データが無人航空機のホバリングに対応する状況で、前記ジンバルが前記第１の動作モードから前記第２の動作モードへと切り替える必要があることを確定することを含む、請求項２に記載の方法。
【請求項４】
前記飛行制御データに基づき前記ジンバルが前記第１の動作モードから前記第２の動作モードへと切り替える必要があることを確定することは、
無人航空機が前記飛行制御データの転送を停止した状況で、前記ジンバルが前記第１の動作モードから前記第２の動作モードへと切り替える必要があることを確定することを含む、請求項２に記載の方法。
【請求項５】
前記第１の動作モードはジンバル固定モードであり、前記第２の動作モードはジンバル追従モードであり、
前記ジンバルを制御して前記所望姿勢を保つようにしたまま、前記第１の動作モードから前記第２の動作モードへと切り替えることは、
前記ジンバルを制御して前記所望姿勢を保つようにしたまま復位を行わない状況で、前記ジンバル固定モードから前記ジンバル追従モードへと切り替えることを含む、請求項１〜４のいずれか一項に記載の方法。
【請求項６】
前記ジンバルを制御して前記所望姿勢を保つようにしたまま復位を行わない状況で、前記ジンバル固定モードから前記ジンバル追従モードへと切り替えることは、
前記計測姿勢に対応する中枠姿勢及び前記計測姿勢に対応するベース姿勢に基づき、前記ジンバルの前記ジンバル固定モードでの角度バイアス値を確定することと、
前記所望姿勢に対応する中枠姿勢及び前記計測姿勢に対応するベース姿勢、ならびに前記角度バイアス値に基づき、前記計測姿勢に対応するベース姿勢に対する前記所望姿勢に対応する中枠姿勢のオイラー座標系における角度差を確定することと、
前記角度差に基づき追従速度を確定し、前記追従速度を積分して追従コマンドを得ることと、を含む、請求項５に記載の方法。
【請求項７】
前記計測姿勢に対応する中枠姿勢及び前記計測姿勢に対応するベース姿勢に基づき、前記ジンバルの前記ジンバル固定モードでの角度バイアス値を確定することは、
前記計測姿勢に対応する中枠姿勢のヨーオイラー角と前記計測姿勢に対応するベース姿勢のヨーオイラー角との差に基づき、前記ジンバルの前記ジンバル固定モードでの角度バイアス値を確定することを含む、請求項６に記載の方法。
【請求項８】
前記ジンバルを制御して前記所望姿勢を保つようにしたまま復位を行わない状況で、前記ジンバル固定モードから前記ジンバル追従モードへと切り替えることは、
ベース純転動の角度に前記ジンバルの前記ジンバル固定モードでの速度積分コマンド部分で生じた角度及びプッシュコマンド部分で生じた角度を加え、前記ジンバルの前記ジンバル固定モードでの角度バイアス値を得ることと、
前記所望姿勢に対応する中枠姿勢及び前記計測姿勢に対応するベース姿勢、ならびに前記角度バイアス値に基づき、前記計測姿勢に対応するベース姿勢に対する前記所望姿勢に対応する中枠姿勢のオイラー座標系における角度差を確定することと、
前記角度差に基づき追従速度を確定し、前記追従速度を積分して追従コマンドを得ることと、を含む、請求項５に記載の方法。
【請求項９】
前記ジンバルの現在の動作モードは追従モードであり、
前記計測姿勢に対応する中枠姿勢及び前記計測姿勢に対応するベース姿勢に基づき、前記ジンバルの前記ジンバル固定モードでの角度バイアス値を確定することと、
前記角度バイアス値の基礎の上で前記ジンバルの前記追従モードでの速度積分コマンド部分で生じた角度及びプッシュコマンド部分で生じた角度を減じ、前記ジンバルの前記追従モードでのベース純転動の角度を得ることと、
前記ベース純転動の角度を記録することと、を含む、請求項５〜８のいずれか一項に記載の方法。
【請求項１０】
前記第１の動作モードはジンバル固定モード又は追従モードであり、前記第２の動作モードは復位モードであり、
前記ジンバルを制御して前記所望姿勢を保つようにしたまま、前記第１の動作モードから前記第２の動作モードへと切り替えることは、
前記計測姿勢に対応するベース姿勢及び前記所望姿勢に対応する中枠姿勢に基づき、復位速度を確定し、前記復位速度を積分して速度積分コマンド部分を得て、前記速度積分コマンド部分以外の他のコマンド部分をクリアすることを含む、請求項１〜４のいずれか一項に記載の方法。
【請求項１１】
前記速度積分コマンド部分が、前記所望姿勢に対応する中枠姿勢のヨーオイラー角と前記所望姿勢に対応するベース姿勢のヨーオイラー角との差が所定の範囲内にあるようにする、請求項１０に記載の方法。
【請求項１２】
請求項１から請求項１１の何れか１項に記載の切替方法を実行する、制御装置。
【手続補正３】
【補正対象書類名】明細書
【補正対象項目名】０１６９
【補正方法】変更
【補正の内容】
【０１６９】
上述した内容は、本願の具体的な実施形態にすぎないが、本願の保護範囲はこれに限定されず、当業者が本願で開示された技術範囲内で容易に想到できる変更又は置き換えは、いずれも本願の保護範囲内にあるものとする。そのため、本願の保護範囲は、特許請求の範囲の保護範囲を基準とするものとする。
（項目１）
ジンバルが第１の動作モードから第２の動作モードへと切り替える必要があることを確定することと、
前記ジンバルの計測姿勢を取得し、前記計測姿勢に基づき前記ジンバルの所望姿勢を確定することと、
前記ジンバルを制御して前記所望姿勢を保つようにしたまま、前記第１の動作モードから前記第２の動作モードへと切り替えることと、を含む、ジンバル動作モードの切替方法。
（項目２）
前記ジンバルが第１の動作モードから第２の動作モードへと切り替える必要があることを確定することは、
飛行制御データに基づき前記ジンバルが前記第１の動作モードから前記第２の動作モードへと切り替える必要があることを確定することを含む、項目１に記載の方法。
（項目３）
前記飛行制御データに基づき前記ジンバルが前記第１の動作モードから前記第２の動作モードへと切り替える必要があることを確定することは、
前記飛行制御データが無人航空機のホバリングに対応する状況で、前記ジンバルが前記第１の動作モードから前記第２の動作モードへと切り替える必要があることを確定することを含む、項目２に記載の方法。
（項目４）
前記飛行制御データに基づき前記ジンバルが前記第１の動作モードから前記第２の動作モードへと切り替える必要があることを確定することは、
無人航空機が前記飛行制御データの転送を停止した状況で、前記ジンバルが前記第１の動作モードから前記第２の動作モードへと切り替える必要があることを確定することを含む、項目２に記載の方法。
（項目５）
前記第１の動作モードはジンバル固定モードであり、前記第２の動作モードはジンバル追従モードであり、
前記ジンバルを制御して前記所望姿勢を保つようにしたまま、前記第１の動作モードから前記第２の動作モードへと切り替えることは、
前記ジンバルを制御して前記所望姿勢を保つようにしたまま復位を行わない状況で、前記ジンバル固定モードから前記追従モードへと切り替えることを含む、項目１〜４のいずれか一項に記載の方法。
（項目６）
前記ジンバルを制御して前記所望姿勢を保つようにしたまま復位を行わない状況で、前記ジンバル固定モードから前記追従モードへと切り替えることは、
前記計測姿勢に対応する中枠姿勢及び前記計測姿勢に対応するベース姿勢に基づき、前記ジンバルの前記ジンバル固定モードでの角度バイアス値を確定することと、
前記所望姿勢に対応する中枠姿勢及び前記計測姿勢に対応するベース姿勢、ならびに前記角度バイアス値に基づき、前記計測姿勢に対応するベース姿勢に対する前記所望姿勢に対応する中枠姿勢のオイラー座標系における角度差を確定することと、
前記角度差に基づき追従速度を確定し、前記追従速度を積分して追従コマンドを得ることと、を含む、項目５に記載の方法。
（項目７）
前記計測姿勢に対応する中枠姿勢及び前記計測姿勢に対応するベース姿勢に基づき、前記ジンバルの前記ジンバル固定モードでの角度バイアス値を確定することは、
前記計測姿勢に対応する中枠姿勢のヨーオイラー角と前記計測姿勢に対応するベース姿勢のヨーオイラー角との差に基づき、前記ジンバルの前記ジンバル固定モードでの角度バイアス値を確定することを含む、項目６に記載の方法。
（項目８）
前記ジンバルを制御して前記所望姿勢を保つようにしたまま復位を行わない状況で、前記ジンバル固定モードから前記追従モードへと切り替えることは、
ベース純転動の角度に前記ジンバルの前記ジンバル固定モードでの速度積分コマンド部分で生じた角度及びプッシュコマンド部分で生じた角度を加え、前記ジンバルの前記ジンバル固定モードでの角度バイアス値を得ることと、
前記所望姿勢に対応する中枠姿勢及び前記計測姿勢に対応するベース姿勢、ならびに前記角度バイアス値に基づき、前記計測姿勢に対応するベース姿勢に対する前記所望姿勢に対応する中枠姿勢のオイラー座標系における角度差を確定することと、
前記角度差に基づき追従速度を確定し、前記追従速度を積分して追従コマンドを得ることと、を含む、項目５に記載の方法。
（項目９）
前記ジンバルの現在の動作モードは追従モードであり、
前記計測姿勢に対応する中枠姿勢及び前記計測姿勢に対応するベース姿勢に基づき、前記ジンバルの前記ジンバル固定モードでの角度バイアス値を確定することと、
前記角度バイアス値の基礎の上で前記ジンバルの前記追従モードでの速度積分コマンド部分で生じた角度及びプッシュコマンド部分で生じた角度を減じ、前記ジンバルの前記追従モードでのベース純転動の角度を得ることと、
前記ベース純転動の角度を記録することと、を含む、項目５〜８のいずれか一項に記載の方法。
（項目１０）
前記第１の動作モードはジンバル固定モード又は追従モードであり、前記第２の動作モードは復位モードであり、
前記ジンバルを制御して前記所望姿勢を保つようにしたまま、前記第１の動作モードから前記第２の動作モードへと切り替えることは、
前記計測姿勢に対応するベース姿勢及び前記所望姿勢に対応する中枠姿勢に基づき、復位速度を確定し、前記復位速度を積分して速度積分コマンド部分を得て、前記速度積分コマンド部分以外の他のコマンド部分をクリアすることを含む、項目１〜４のいずれか一項に記載の方法。
（項目１１）
前記速度積分コマンド部分が、前記所望姿勢に対応する中枠姿勢のヨーオイラー角と前記所望姿勢に対応するベース姿勢のヨーオイラー角との差が所定の範囲内にあるようにする、項目１０に記載の方法。
（項目１２）
処理装置と、記憶装置と、を含み、前記記憶装置にコンピュータコマンドが格納されており、前記処理装置が前記コンピュータコマンドを実行するときに、
前記ジンバルを第１の動作モードから第２の動作モードへと切り替える必要があることを確定するステップと、
前記ジンバルの計測姿勢を取得して、前記計測姿勢に基づき前記ジンバルの所望姿勢を確定するステップと、
前記ジンバルを制御して前記所望姿勢を保つようにしたまま、前記第１の動作モードから前記第２の動作モードへと切り替えるステップと、を前記処理装置に実行させる、制御装置。
（項目１３）
前記処理装置は、具体的には、飛行制御データに基づき前記ジンバルが前記第１の動作モードから前記第２の動作モードへと切り替える必要があることを確定するために用いられる、項目１２に記載の制御装置。
（項目１４）
前記処理装置は、具体的には、前記飛行制御データが無人航空機のホバリングに対応する状況で、前記ジンバルが前記第１の動作モードから前記第２の動作モードへと切り替える必要があることを確定するために用いられる、項目１３に記載の制御装置。
（項目１５）
前記処理装置は、具体的には、無人航空機が前記飛行制御データの転送を停止した状況で、前記ジンバルが前記第１の動作モードから前記第２の動作モードへと切り替える必要があることを確定するために用いられる、項目１３に記載の制御装置。
（項目１６）
前記第１の動作モードはジンバル固定モードであり、前記第２の動作モードはジンバル追従モードであり、
前記処理装置は、具体的には、前記ジンバルを制御して前記所望姿勢を保つようにしたまま復位を行わない状況で、前記ジンバル固定モードから前記追従モードへと切り替えるために用いられる、項目１２〜１５のいずれか一項に記載の制御装置。
（項目１７）
前記処理装置は、具体的には、次のステップによって、前記ジンバルを制御して前記所望姿勢を保つようにしたまま復位を行わない状況で、前記ジンバル固定モードから前記追従モードへと切り替え、
前記計測姿勢に対応する中枠姿勢及び前記計測姿勢に対応するベース姿勢に基づき、前記ジンバルの前記ジンバル固定モードでの角度バイアス値を確定し、
前記所望姿勢に対応する中枠姿勢及び前記計測姿勢に対応するベース姿勢、ならびに前記角度バイアス値に基づき、前記計測姿勢に対応するベース姿勢に対する前記所望姿勢に対応する中枠姿勢のオイラー座標系における角度差を確定し、
前記角度差に基づき追従速度を確定し、前記追従速度を積分して追従コマンドを得る、項目１６に記載の制御装置。
（項目１８）
前記処理装置は、具体的には、前記計測姿勢に対応する中枠姿勢のヨーオイラー角と前記計測姿勢に対応するベース姿勢のヨーオイラー角との差に基づき、前記ジンバルの前記ジンバル固定モードでの角度バイアス値を確定するために用いられる、項目１７に記載の制御装置。
（項目１９）
前記処理装置は、具体的には、次のステップによって、前記ジンバルを制御して前記所望姿勢を保つようにしたまま復位を行わない状況で、前記ジンバル固定モードから前記追従モードへと切り替えるために用いられ、前記ステップは、
ベース純転動の角度に前記ジンバルの前記ジンバル固定モードでの速度積分コマンド部分で生じた角度及びプッシュコマンド部分で生じた角度を加え、前記ジンバルの前記ジンバル固定モードでの角度バイアス値を得て、
前記所望姿勢に対応する中枠姿勢及び前記計測姿勢に対応するベース姿勢、ならびに前記角度バイアス値に基づき、前記計測姿勢に対応するベース姿勢に対する前記所望姿勢に対応する中枠姿勢のオイラー座標系における角度差を確定し、
前記角度差に基づき追従速度を確定し、前記追従速度を積分して追従コマンドを得ることである、項目１６に記載の制御装置。
（項目２０）
前記ジンバルの現在の動作モードは追従モードであり、前記処理装置は、さらに、
前記計測姿勢に対応する中枠姿勢及び前記計測姿勢に対応するベース姿勢に基づき、前記ジンバルの前記ジンバル固定モードでの角度バイアス値を確定することと、
前記角度バイアス値の基礎の上で前記ジンバルの前記追従モードでの速度積分コマンド部分で生じた角度及びプッシュコマンド部分で生じた角度を減じ、前記ジンバルの前記追従モードでのベース純転動の角度を得ることと、
前記ベース純転動の角度を記録することと、のために用いられる、項目１６〜１９のいずれか一項に記載の制御装置。
（項目２１）
前記第１の動作モードはジンバル固定モード又は追従モードであり、前記第２の動作モードは復位モードであり、
前記処理装置は、具体的には、次のステップによって、前記ジンバルを制御して前記所望姿勢を保つようにしたまま、前記第１の動作モードから前記第２の動作モードへと切り替えるために用いられ、
前記計測姿勢に対応するベース姿勢及び前記所望姿勢に対応する中枠姿勢に基づき、復位速度を確定し、前記復位速度を積分して速度積分コマンド部分を得て、前記速度積分コマンド部分以外の他のコマンド部分をクリアする、項目１２〜１５のいずれか一項に記載の制御装置。
（項目２２）
前記速度積分コマンド部分が、前記所望姿勢に対応する中枠姿勢のヨーオイラー角と前記所望姿勢に対応するベース姿勢のヨーオイラー角との差が所定の範囲内にあるようにする、項目２１に記載の制御装置。
（項目２３）
第１の動作モードと第２の動作モードとを含むジンバルであって、現在の動作モードが前記第１の動作モードであるジンバルと、
前記ジンバルの計測姿勢を取得し、前記計測姿勢を前記制御装置に送信するための計測部材と、
前記ジンバルを前記第１の動作モードから前記第２の動作モードへと切り替える必要があることを確定するための制御装置と、を含み、前記計測部材から前記計測姿勢を取得して、前記ジンバルの所望姿勢を確定し、前記ジンバルを制御して前記所望姿勢を保つようにしたまま、前記第１の動作モードから前記第２の動作モードへと切り替える、画像安定化機器。
（項目２４）
前記制御装置は、具体的には、飛行制御データに基づき前記ジンバルが前記第１の動作モードから前記第２の動作モードへと切り替える必要があることを確定するために用いられる、項目２３に記載の画像安定化機器。
（項目２５）
前記制御装置は、具体的には、前記飛行制御データが無人航空機のホバリングに対応する状況で、前記ジンバルが前記第１の動作モードから前記第２の動作モードへと切り替える必要があることを確定するために用いられる、項目２４に記載の画像安定化機器。
（項目２６）
前記制御装置は、具体的には、無人航空機が前記飛行制御データの転送を停止した状況で、前記ジンバルが前記第１の動作モードから前記第２の動作モードへと切り替える必要があることを確定するために用いられる、項目２４に記載の画像安定化機器。
（項目２７）
前記第１の動作モードはジンバル固定モードであり、前記第２の動作モードはジンバル追従モードであり、
前記制御装置は、具体的には、前記ジンバルを制御して前記所望姿勢を保つようにしたまま復位を行わない状況で、前記ジンバル固定モードから前記追従モードへと切り替えるために用いられる、項目２３〜２６のいずれか一項に記載の画像安定化機器。
（項目２８）
前記制御装置は、具体的には、次の方式によって、前記ジンバルを制御して前記所望姿勢を保つようにしたまま復位を行わない状況で、前記ジンバル固定モードから前記ジンバル追従モードへと切り替えるために用いられ、前記方式は
前記計測姿勢に対応する中枠姿勢及び前記計測姿勢に対応するベース姿勢に基づき、前記ジンバルの前記ジンバル固定モードでの角度バイアス値を確定し、
前記所望姿勢に対応する中枠姿勢及び前記計測姿勢に対応するベース姿勢、ならびに前記角度バイアス値に基づき、前記計測姿勢に対応するベース姿勢に対する前記所望姿勢に対応する中枠姿勢のオイラー座標系における角度差を確定し、
前記角度差に基づき追従速度を確定し、前記追従速度を積分して追従コマンドを得ることである、項目２７に記載の画像安定化機器。
（項目２９）
前記制御装置は、具体的には、次の方式によって、前記ジンバルの前記ジンバル固定モードでの角度バイアス値を確定するために用いられ、前記方式は、
前記計測姿勢に対応する中枠姿勢のヨーオイラー角と前記計測姿勢に対応するベース姿勢のヨーオイラー角との差に基づき、前記ジンバルの前記ジンバル固定モードでの角度バイアス値を確定することである、項目２８に記載の画像安定化機器。
（項目３０）
前記制御装置は、具体的には、次の方式によって、前記ジンバルを制御して前記所望姿勢を保つようにしたまま復位を行わない状況で、前記ジンバル固定モードから前記追従モードへと切り替えるために用いられ、前記方式は、
前記ジンバルのベース純転動の角度に前記ジンバルの前記ジンバル固定モードでの速度積分コマンド部分で生じた角度及びプッシュコマンド部分で生じた角度を加え、前記ジンバルの前記ジンバル固定モードでの角度バイアス値を得て、
前記所望姿勢に対応する中枠姿勢及び前記計測姿勢に対応するベース姿勢、ならびに前記角度バイアス値に基づき、前記計測姿勢に対応するベース姿勢に対する前記所望姿勢に対応する中枠姿勢のオイラー座標系における角度差を確定し、
前記角度差に基づき追従速度を確定し、前記追従速度を積分して追従コマンドを得ることである、項目２７に記載の画像安定化機器。
（項目３１）
前記第１の動作モードはジンバル追従モードであり、前記制御装置は、さらに、
前記計測姿勢に対応する中枠姿勢及び前記計測姿勢に対応するベース姿勢に基づき、前記ジンバルの前記ジンバル固定モードでの角度バイアス値を確定することと、
前記角度バイアス値の基礎の上で前記ジンバルの前記追従モードでの速度積分コマンド部分で生じた角度及びプッシュコマンド部分で生じた角度を減じ、前記ジンバルの前記追従モードでのベース純転動の角度を得ることと、
前記ベース純転動の角度を記録することと、のために用いられる、項目２７〜３０のいずれか一項に記載の画像安定化機器。
（項目３２）
前記第１の動作モードはジンバル固定モード又はジンバル追従モードであり、前記第２の動作モードは復位モードであり、
前記制御装置は、具体的には、次の方式によって、前記ジンバルを制御して前記所望姿勢を保つようにしたまま、前記第１の動作モードから前記第２の動作モードへと切り替えるために用いられ、
前記計測姿勢に対応するベース姿勢及び前記所望姿勢に対応する中枠姿勢に基づき、復位速度を確定し、前記復位速度を積分して速度積分コマンド部分を得て、前記速度積分コマンド部分以外の他のコマンド部分をクリアする、項目２３〜２６のいずれか一項に記載の画像安定化機器。
（項目３３）
前記速度積分コマンド部分が、前記所望姿勢に対応する中枠姿勢のヨーオイラー角と前記所望姿勢に対応するベース姿勢のヨーオイラー角との差が所定の範囲内にあるようにする、項目３２に記載の画像安定化機器。
（項目３４）
コンピュータによって実行されるときに、前記コンピュータが項目１〜１１のいずれか一項に記載の方法を実行するコンピュータプログラムが格納された、コンピュータ記憶媒体。
（項目３５）
コマンドがコンピュータによって実行されるときに項目１〜１１のいずれか一項に記載の方法をコンピュータに実行させる、コマンドを含むコンピュータプログラム製品。
【国際調査報告】
2021508067.tif 000012
2021508067.tif 000013
2021508067.tif 000014
2021508067.tif 000015